(57)【要約】  開示された実施例による対象物検査装置は、第１対象物を回転させる第１フリッパー装置；第２対象物を回転させる第２フリッパー装置；及び前記第１フリッパー装置及び前記第２フリッパー装置のうちいずれか１つに対応する位置からもう１つに対応する位置に移動するように構成され、前記第１対象物及び前記第２対象物の対象面を検査する１つのカメラ装置を含む。前記第１フリッパー装置及び前記第２フリッパー装置のそれぞれは少なくとも１つのフリッパーユニットを含む。
2021528658.tif 000002
【特許請求の範囲】
【請求項１】
ＸＹＺ直交座標上で、
第１対象物をつかんで回転させるように構成される第１フリッパー装置と、
第２対象物をつかんで回転させるように構成される第２フリッパー装置と、
前記第１フリッパー装置及び前記第２フリッパー装置のうちいずれか１つに対応する位置からもう１つに対応する位置に移動するように構成され、前記第１対象物及び前記第２対象物の＋Ｚ軸方向を見る対象面を検査する１つのカメラ装置とを含み、
前記第１フリッパー装置及び前記第２フリッパー装置のそれぞれは、
所定の軸方向に対象物をつかんで所定の軸を中心に対象物を回転させるように構成される少なくとも１つのフリッパーユニットを含む、
対象物検査装置。
【請求項２】
前記少なくとも１つのフリッパーユニットは、Ｙ軸方向に対象物をつかんでＹ軸を中心に対象物を回転させるように構成されるＹ軸フリッパーユニットを含む、請求項１に記載の対象物検査装置。
【請求項３】
前記第１フリッパー装置及び前記第２フリッパー装置のそれぞれは、
前記対象物をＸ軸方向に移送させるように構成される移送ユニットをさらに含む、請求項２に記載の対象物検査装置。
【請求項４】
前記第１フリッパー装置及び前記第２フリッパー装置は、Ｙ軸方向に配列され、
前記カメラ装置は、Ｙ軸方向に移動するように構成される、請求項３に記載の対象物検査装置。
【請求項５】
前記少なくとも１つのフリッパーユニットは、Ｘ軸方向に対象物をつかんでＸ軸を中心に対象物を回転させるように構成されるＸ軸フリッパーユニットをさらに含む、請求項２に記載の対象物検査装置。
【請求項６】
前記Ｙ軸フリッパーユニットは、
Ｙ軸方向に互いに狭められたり広げられたりするように作動するように構成される一対のボディーフレームと、
前記一対のボディーフレームを支持するＹ軸フリッパーベースと、
対応する前記一対のボディーフレームに支持され、前記一対のボディーフレームに対してＹ軸を中心に回転するように構成され、前記対象物をその間においてつかめるように構成される一対のＹ軸ホルダーとを含み、
前記Ｘ軸フリッパーユニットは、
Ｘ軸方向に互いに狭められたり広げられたりするように作動するように構成される一対のサイドフレームと、
前記一対のサイドフレームを支持するＸ軸フリッパーベースと、
対応する前記一対のサイドフレームに支持され、前記一対のサイドフレームに対してＸ軸を中心に回転するように構成され、前記対象物をその間においてつかめるように構成される一対のＸ軸ホルダーとを含む、請求項５に記載の対象物検査装置。
【請求項７】
前記第１フリッパー装置及び前記第２フリッパー装置のそれぞれは、
前記少なくとも１つのフリッパーユニットが支持され、前記少なくとも１つのフリッパーユニットをＺ軸方向に昇降させるように構成されるＺ軸昇降ユニットを含む、請求項１に記載の対象物検査装置。
【請求項８】
前記カメラ装置を移動可能に支持するカメラ装置フレームをさらに含む、請求項１に記載の対象物検査装置。
【請求項９】
ＸＹＺ直交座標上で、第１対象物をつかんで回転させる第１フリッパー装置と、第２対象物をつかんで回転させる第２フリッパー装置と、前記第１対象物及び前記第２対象物の＋Ｚ軸方向を見る対象面を検査する１つのカメラ装置を用いた対象物検査方法において、
前記第１フリッパー装置が前記第１対象物を回転させ、前記カメラ装置が前記第１対象物の対象面を検査する第１対象物検査段階と、
前記第１対象物検査段階の進行中に、前記第２フリッパー装置が前記第２対象物を回転させ、前記カメラ装置が前記第２対象物の対象面を検査する第２対象物検査段階とを含み、
前記第１対象物検査段階及び前記第２対象物検査段階の進行中に、前記カメラ装置が前記第１フリッパー装置及び前記第２フリッパー装置のうちいずれか１つに対応する位置からもう１つに対応する位置に少なくとも１回移動する、
対象物検査方法。
【請求項１０】
前記第１対象物検査段階及び前記第２対象物検査段階の進行中に、前記カメラ装置は、前記第１対象物の対象面及び前記第２対象物の対象面を交互に検査する、請求項９に記載の対象物検査方法。
【請求項１１】
前記第１対象物検査段階及び前記第２対象物検査段階のそれぞれは、
対応するＹ軸ホルダーが、対応する対象物をＹ軸方向につかんで、前記カメラ装置が、対応する対象物の対象面（Ａ）を検査する初期検査段階と、
対応するＹ軸ホルダーが、対応する対象物をＹ軸を中心に回転させ、前記カメラ装置が、対応する前記対象面（Ａ）に対して垂直な対象面（Ｂ１）及び対応する前記対象面（Ｂ１）の反対側面である対象面（Ｂ２）を検査するＹ軸回転検査段階とを含み、
前記第１対象物の初期検査段階及び前記第１対象物のＹ軸回転検査段階の進行中に、前記第２対象物の初期検査段階が進行される、請求項９に記載の対象物検査方法。
【請求項１２】
前記第１対象物のＹ軸回転検査段階の進行中に、前記カメラ装置が前記第１フリッパー装置に対応する位置及び前記第２フリッパー装置に対応する位置の間を少なくとも１回移動する、請求項１１に記載の対象物検査方法。
【請求項１３】
前記第１対象物検査段階及び前記第２対象物検査段階のそれぞれは、
対応するＹ軸ホルダーが、対応する対象物をＹ軸方向につかんで、前記カメラ装置が、対応する対象物の対象面（Ａ）を検査する初期検査段階と、
対応するＹ軸ホルダーが、対応する対象物をＹ軸を中心に回転させ、前記カメラ装置が、対応する前記対象面（Ａ）に対して垂直な対象面（Ｂ１）及び対応する前記対象面（Ｂ１）の反対側面である対象面（Ｂ２）を検査するＹ軸回転検査段階と、
対応するＸ軸ホルダーが、対応する対象物をＸ軸方向につかんで、対応する対象物をＸ軸を中心に回転させ、前記カメラ装置が、対応する前記対象面（Ａ）に対して垂直な対象面（Ｂ３）及び対応する前記対象面（Ｂ３）の反対側面である対象面（Ｂ４）を検査するＸ軸回転検査段階とを含み、
前記第２対象物のＹ軸回転検査段階及び前記第２対象物のＸ軸回転検査段階の進行中に、前記カメラ装置が前記第１フリッパー装置に対応する位置及び前記第２フリッパー装置に対応する位置の間を少なくとも１回移動する、請求項９に記載の対象物検査方法。
【請求項１４】
前記第１対象物のＸ軸回転検査段階の進行中に、前記カメラ装置が前記第１フリッパー装置に対応する位置及び前記第２フリッパー装置に対応する位置の間を少なくとも１回移動する、請求項１３に記載の対象物検査方法。
【請求項１５】
前記第１対象物検査段階及び前記第２対象物検査段階のそれぞれは、
前記Ｘ軸回転検査段階の後、対応するＹ軸ホルダーが、対応する対象物をＹ軸方向につかんで、前記カメラ装置が、対応する前記対象面（Ａ）の反対側面である対象面（Ｃ）を検査する背面検査段階を含み、
前記第２対象物のＸ軸回転検査段階及び前記第２対象物の背面検査段階の進行中に、前記第１対象物の背面検査段階が進行される、請求項１３に記載の対象物検査方法。
【請求項１６】
前記第１対象物検査段階及び前記第２対象物検査段階のそれぞれは、
対応するＹ軸ホルダーが、対応する対象物をＹ軸方向につかんで、前記カメラ装置が、対応する対象物の対象面（Ａ）を検査する初期検査段階と、
対応するＹ軸ホルダーが、対応する対象物をＹ軸を中心に回転させ、前記カメラ装置が、対応する前記対象面（Ａ）に対して垂直な対象面（Ｂ１）及び対応する前記対象面（Ｂ１）の反対側面である対象面（Ｂ２）を検査するＹ軸回転検査段階と、
対応するＹ軸ホルダーが、対応する対象物をＹ軸方向につかんで、前記カメラ装置が、対応する前記対象面（Ａ）の反対側面である対象面（Ｃ）を検査する背面検査段階と、
前記背面検査段階の後、対応する対象物をＸ軸方向に移送させる後期移送段階とを含み、
前記第１対象物の背面検査段階及び前記第１対象物の後期移送段階の進行中に、前記カメラ装置が前記第１フリッパー装置に対応する位置及び前記第２フリッパー装置に対応する位置の間を少なくとも１回移動する、請求項９に記載の対象物検査方法。
【発明の詳細な説明】
【技術分野】
【０００１】
本開示は、対象物をつかんで回転させるフリッパー装置及びフリッパー装置を用いて対象物を検査する方法に関するものである。
【背景技術】
【０００２】
各種の物品を製造してそのまま流通させたり、他の物品との組立を行う場合において、物品（対象物）の製造状態または組立状態に関する検査を行うのは製品の信頼性を高めるために必須の工程である。従来、物品の検査は肉眼で検査されてきたが、最近、検査装備を用いて精度を向上させ、作業速度を高める技術が開発されている。
【０００３】
このような検査工程は、工程自動化が導入されるに伴い、検査対象を自動で移送する方式を採用するようになり、最も普遍的な方法としてはコンベヤー移送ベルトを用いて物品を移送することである。自動で移送されてきた物品を検査装備で検査する場合、物品の上面を検査した後、物品の下面を検査するために、物品の上下面を切り替える作業が必要である。物品の上下面を切り替える作業は、通常、手作業で行われたり別途の逆転装置（フリッパー装置）を備えてなる。
【発明の概要】
【発明が解決しようとする課題】
【０００４】
従来は、対象物を移送レールで移送させながら上面及び側面を検査するためには対象物の上面及び側面にそれぞれカメラ装置が必要であり、カメラ装備は非常に高価なので検査装置の費用が相当であるという問題があった。本開示の実施例は前述の従来技術の問題を解決する。
【０００５】
従来は、対象物を回転させながらカメラ装置が対象物の表面を検査する場合、対象物が回転する時間だけカメラ装置が検査をすることができないロスタイム（ｌｏｓｓ ｔｉｍｅ）が発生し、対象物の検査を遅延させる問題があった。本開示の実施例は前述の従来技術の問題を解決する。
【課題を解決するための手段】
【０００６】
本開示の一側面は、対象物検査装置の実施例を提供する。代表的な実施例による対象物検査装置は、第１対象物をつかんで回転させるように構成される第１フリッパー装置；第２対象物をつかんで回転させるように構成される第２フリッパー装置；及び前記第１フリッパー装置及び前記第２フリッパー装置のうちいずれか１つに対応する位置からもう１つに対応する位置に移動するように構成され、前記第１対象物及び前記第２対象物の＋Ｚ軸方向を見る対象面を検査する１つのカメラ装置を含む。前記第１フリッパー装置及び前記第２フリッパー装置のそれぞれは、所定の軸方向に対象物をつかんで所定の軸を中心に対象物を回転させるように構成される少なくとも１つのフリッパーユニットを含む。
【０００７】
本開示のもう１つの側面は、対象物検査方法の実施例を提供する。代表的な実施例による対象物検査方法は、第１対象物をつかんで回転させる第１フリッパー装置と、第２対象物をつかんで回転させる第２フリッパー装置と、前記第１対象物及び前記第２対象物の＋Ｚ軸方向を見る対象面を検査する１つのカメラ装置を用いる。前記対象物検査方法は、前記第１フリッパー装置が前記第１対象物を回転させ、前記カメラ装置が前記第１対象物の対象面を検査する第１対象物検査段階；及び前記第１対象物検査段階の進行中に、前記第２フリッパー装置が前記第２対象物を回転させ、前記カメラ装置が前記第２対象物の対象面を検査する第２対象物検査段階を含む。前記第１対象物検査段階及び前記第２対象物検査段階の進行中に、前記カメラ装置が前記第１フリッパー装置及び前記第２フリッパー装置のうちいずれか１つに対応する位置からもう１つに対応する位置に少なくとも１回移動する。
【発明の効果】
【０００８】
本開示の実施例によれば、１つのカメラ装備を通じて対象物の多角度の表面を検査することができる。
【０００９】
本開示の実施例によれば、１つのカメラ装備が対象物を交互に検査することにより、対象物が回転するに伴ってカメラ装置が検査をすることができないロスタイム（ｌｏｓｓ ｔｉｍｅ）を減らすことができる。
【００１０】
本開示の実施例によれば、２つの対象物を共に検査しながらも空間を効率よく活用することができ、対象物１つあたりに要される検査時間を短縮させることができる。
【図面の簡単な説明】
【００１１】
【図１】本開示の一実施例による対象物検査装置１の斜視図である。
【図２】図１の対象物検査装置１の上面図であって、カメラ装置３０及びカメラ装置フレームの一部分４４、４６、４７を省略した図面である。
【図３ａ】図１の一実施例によるフリッパー装置１０の斜視図である。
【図３ｂ】他の実施例によるフリッパー装置１０'の斜視図である。
【図４】図３ａのＹ軸フリッパーユニット１００、移送ユニット２００及び駆動部１６０、１７０、１８０、２６０、２７０、３８０の斜視図である。
【図５】図３ａのＹ軸フリッパーユニット１００、移送ユニット２００及び駆動部１６０、１７０、１８０、２６０、２７０、３８０の斜視図である。
【図６】図３ａのＸ軸フリッパーユニット３００及び駆動部３６０、３７０の斜視図である。
【図７】図３ａのＺ軸昇降ユニット５００及びＺ軸昇降駆動部５６０の斜視図である。
【図８】図３ａのＺ軸昇降ユニット５００及びＺ軸昇降駆動部５６０の斜視図である。
【図９】フリッパー装置１０の一実施例による作動過程を順に示す斜視図であって、説明の便宜上、いくつかの図面ではＸ軸フリッパーユニット３００及びＺ軸昇降ユニット５００が省略される。
【図１０】フリッパー装置１０の一実施例による作動過程を順に示す斜視図であって、説明の便宜上、いくつかの図面ではＸ軸フリッパーユニット３００及びＺ軸昇降ユニット５００が省略される。
【図１１】フリッパー装置１０の一実施例による作動過程を順に示す斜視図であって、説明の便宜上、いくつかの図面ではＸ軸フリッパーユニット３００及びＺ軸昇降ユニット５００が省略される。
【図１２】フリッパー装置１０の一実施例による作動過程を順に示す斜視図であって、説明の便宜上、いくつかの図面ではＸ軸フリッパーユニット３００及びＺ軸昇降ユニット５００が省略される。
【図１３】フリッパー装置１０の一実施例による作動過程を順に示す斜視図であって、説明の便宜上、いくつかの図面ではＸ軸フリッパーユニット３００及びＺ軸昇降ユニット５００が省略される。
【図１４】フリッパー装置１０の一実施例による作動過程を順に示す斜視図であって、説明の便宜上、いくつかの図面ではＸ軸フリッパーユニット３００及びＺ軸昇降ユニット５００が省略される。
【図１５ａ】フリッパー装置１０の一実施例による作動過程を順に示す斜視図であって、説明の便宜上、いくつかの図面ではＸ軸フリッパーユニット３００及びＺ軸昇降ユニット５００が省略される。
【図１５ｂ】フリッパー装置１０の一実施例による作動過程を順に示す斜視図であって、説明の便宜上、いくつかの図面ではＸ軸フリッパーユニット３００及びＺ軸昇降ユニット５００が省略される。
【図１６】フリッパー装置１０の一実施例による作動過程を順に示す斜視図であって、説明の便宜上、いくつかの図面ではＸ軸フリッパーユニット３００及びＺ軸昇降ユニット５００が省略される。
【図１７ａ】図１２の状態のフリッパー装置１０をＸ軸方向に見た立面図である。
【図１７ｂ】図１４の状態のフリッパー装置１０をＸ軸方向に見た立面図である。
【図１７ｃ】図１５ａの状態のフリッパー装置１０をＸ軸方向に見た立面図である。
【図１８】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図１９】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２０】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２１ａ】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２１ｂ】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２２】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２３】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２４】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２５】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２６】フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【図２７ａ】いずれか１つの対象物を検査する一実施例による方法Ｓ１のフローチャートである。
【図２７ｂ】いずれか１つの対象物を検査する他の実施例による方法Ｓ１'のフローチャートである。
【図２８】本開示の一実施例による対象物検査方法Ｓ０のフローチャートである。
【図２９】本開示の他の実施例による対象物検査方法Ｓ０'のフローチャートである。
【発明を実施するための形態】
【００１２】
本開示の実施例は本開示の技術的思想を説明するための目的で例示されたものである。本開示による権利範囲が以下に提示される実施例やこれら実施例に関する具体的な説明に限定されるわけではない。
【００１３】
本開示に用いられる全ての技術的用語及び科学的用語は、特に定義されない限り、本開示の属する技術分野で通常の知識を有する者に一般に理解される意味を有する。本開示に用いられる全ての用語は、本開示を更に明確に説明するための目的で選択されたものであり、本開示による権利範囲を制限するために選択されたものではない。
【００１４】
本開示で用いられる「含む」、「備える」、「有する」等のような表現は、当該表現が含まれる語句または文章で特に言及されない限り、他の実施例を含む可能性を内包する開放型用語（ｏｐｅｎ−ｅｎｄｅｄ ｔｅｒｍｓ）と理解されるべきである。
【００１５】
本開示で記述された単数型の表現は、特に言及しない限り、複数型の意味を含み得、これは請求の範囲に記載された単数型の表現にも同様に適用される。
【００１６】
本開示で用いられる「第１」、「第２」等の表現は、複数の構成要素を相互に区分するために用いられ、当該構成要素の順序または重要度を限定するわけではない。
【００１７】
本開示において、ある構成要素が他の構成要素に「連結されて」いるか、「接続されて」いると言及された場合、前記ある構成要素が前記他の構成要素に直接的に連結され得るか、接続され得るものと、または、新たな他の構成要素を媒介として連結され得るか、接続され得るものと理解されるべきである。
【００１８】
図面を参考にして、本開示を説明するために、互いに直交するＸ軸、Ｙ軸及びＺ軸による空間直交座標系を基準として説明する。即ち、ＸＹＺ直交座標上で実施例の各構成を説明することができる。各軸方向（Ｘ軸方向、Ｙ軸方向、Ｚ軸方向）は、各軸が伸びていく両方向を意味する。各軸方向の前に「＋」符号がつくもの（＋Ｘ軸方向、＋Ｙ軸方向、＋Ｚ軸方向）は、各軸が伸びていく両方向のうちいずれか１つの方向である正の方向を意味する。各軸方向の前に「−」符号がつくもの（−Ｘ軸方向、−Ｙ軸方向、−Ｚ軸方向）は、各軸が伸びていく両方向のうち残りの１つの方向である負の方向を意味する。これはあくまでも本開示が明確に理解できるように説明するための基準であり、基準をどこに置くかによって各方向は異なって定義することもできるというのはもちろんである。
【００１９】
本開示で用いられる「上方」、「上」等の方向指示語は＋Ｚ軸方向を基準とし、「下方」、「下」等の方向指示語は−Ｚ軸方向を意味する。添付の図面に示すフリッパー装置（１０）は異なって配向することもでき、前記方向指示語はそれに合わせて解釈されることができる。
【００２０】
本開示で用いられる「対象物」は検査の対象となる物を意味するものであって、本開示では前記対象物の例示として携帯電話ケースを示しているが、これに制限されるわけではない。例えば、前記対象物は、全体的に円柱状を有するスプールバルブ（ｓｐｏｏｌ ｖａｌｖｅ）など多様な種類及び形態を有したものであり得る。前記対象物において検査対象となる外表面のうちいずれか１つの方向を見る面を「対象面」と称すことができる。本開示の図面には対象物（Ｍ）及び対象面（Ａ、Ｂ１、Ｂ１ａ、Ｂ１ｂ、Ｂ２、Ｂ３、Ｂ３ａ、Ｂ３ｂ、Ｂ４、Ｃ）が示される。
【００２１】
以下、添付した図面を参照して、本開示の実施例を説明する。添付の図面において、同一または対応する構成要素には同一の参照符号が付与されている。また、以下の実施例の説明において、同一または対応する構成要素を重複して記述することが省略され得る。しかし、構成要素に関する記述が省略されても、そのような構成要素がある実施例に含まれないものと意図されるわけではない。
【００２２】
図１は、本開示の一実施例による対象物検査装置１の斜視図である。図２は、図１の対象物検査装置１の上面図であって、カメラ装置３０及びカメラ装置フレームの一部分４４、４６、４７を省略した図面である。
【００２３】
図１及び図２を参考にして、対象物検査装置１は複数の対象物Ｍを検査する装置である。対象物検査装置１は対象物Ｍの対象面を検査する。対象物検査装置１は複数のフリッパー装置１０Ａ、１０Ｂを含む。複数のフリッパー装置１０Ａ、１０Ｂは、第１対象物Ｍ１をつかんで回転させるように構成される第１フリッパー装置１０Ａと、第２対象物Ｍをつかんで回転させるように構成される第２フリッパー装置１０Ｂを含む。ここで、第１フリッパー装置１０Ａが回転させる対象物Ｍを第１対象物Ｍ１と称し、第２フリッパー装置１０Ｂが回転させる対象物Ｍを第２対象物Ｍ２と称す。
【００２４】
第１フリッパー装置１０Ａ及び第２フリッパー装置１０Ｂは、Ｙ軸方向に配列され得る。第１フリッパー装置１０Ａ及び第２フリッパー装置１０Ｂは、互いに同一の装置で構成されることもでき、一部違いが生じるように構成されることもできる。
【００２５】
対象物検査装置１は、対象物Ｍをフリッパー装置１０に移動させるコンベヤーベルト装置（図示せず）及び／又はロボットアーム（ａｒｍ）装置などが備えられ得る。前記コンベヤーベルト装置と移送ユニット２００のうちいずれか１つからもう１つに前記対象物が移動可能に、前記コンベヤーベルト装置及び／又はロボットアーム装置などが備えられ得る。例えば、移送ユニット２００の入口側及び出口側にそれぞれコンベヤーベルト（図示せず）が配置され得る。対象物Ｍは前記コンベヤーベルトを経て移送ユニット２００に流入し（図２の矢印Ｉｎ参考）、移送ユニット２００を経て前記コンベヤーベルトに流出し得る（図２の矢印Ｏｕｔ参考）。
【００２６】
対象物検査装置１は、対象物Ｍの＋Ｚ軸方向を見る対象面を検査するカメラ装置３０を含む。カメラ装置３０はフリッパー装置１０の上側に備えられ得る。カメラ装置３０は−Ｚ軸方向に見て対象面を検査し得る。
【００２７】
対象物検査装置１は、第１対象物Ｍ１の対象面及び第２対象物Ｍ２の対象面を検査する１つのカメラ装置３０を含む。カメラ装置３０は、第１対象物Ｍ１及び第２対象物Ｍ２の＋Ｚ軸方向を見る対象面を検査する。
【００２８】
カメラ装置３０は、第１フリッパー装置１０Ａ及び第２フリッパー装置１０Ｂのうちいずれか１つに対応する位置からもう１つに対応する位置に移動するように構成される。ここで、第１フリッパー装置１０Ａに対応する位置は、第１フリッパー装置１０Ａにつかまれた第１対象物Ｍ１を検査できる位置を意味し、第２フリッパー装置１０Ｂに対応する位置は、第２フリッパー装置１０Ｂにつかまれた第２対象物Ｍ２を検査できる位置を意味する。
【００２９】
カメラ装置３０はＹ軸方向に移動するように構成され得る。これを通じて、カメラ装置３０は、Ｙ軸方向に沿って配列された第１フリッパー装置１０Ａ及び第２フリッパー装置１０Ｂにそれぞれ対応する位置の間を移動することができる。
【００３０】
カメラ装置３０はＸ軸方向に移動するように構成され得る。これを通じて、カメラ装置３０は、Ｘ軸方向及びＹ軸方向に移動しながら対象物Ｍの対象面のそれぞれの部分を検査することができる。
【００３１】
カメラ装置３０は、カメラ装置３０を移動可能に支持するカメラ装置フレーム４０を含む。カメラ装置フレーム４０は、カメラ装置３０をＸ軸方向及びＹ軸方向に移動可能に支持することができる。
【００３２】
カメラ装置フレーム４０は、外部の環境（例えば、底、壁体または他の構造物）に支持される基礎フレーム４１を含む。第１フリッパー装置１０Ａ及び第２フリッパー装置１０Ｂは基礎フレーム４１に支持されることができる。
【００３３】
カメラ装置フレーム４０は、Ｙ軸方向に延びたＹ軸ガイド４３と、Ｙ軸ガイド４３に沿ってＹ軸方向に移動可能に構成されるＹ軸スライダー４４を含み得る。Ｙ軸スライダー４４がＹ軸ガイド４３に沿って移動する時、Ｙ軸スライダー４４により支持されるカメラ装置３０はＹ軸スライダー４４とともにＹ軸方向に移動することができる。
【００３４】
カメラ装置フレーム４０は、Ｘ軸方向に延びたＸ軸ガイド４６と、Ｘ軸ガイド４６に沿ってＸ軸方向に移動可能に構成されるＸ軸スライダー４７を含み得る。Ｘ軸スライダー４７がＸ軸ガイド４６に沿って移動する時、Ｘ軸スライダー４７により支持されるカメラ装置３０はＸ軸スライダー４７とともにＸ軸方向に移動することができる。
【００３５】
図３ａは本開示の一実施例によるフリッパー装置１０の斜視図であり、図３ｂは他の実施例によるフリッパー装置１０'の斜視図である。
【００３６】
図３ａ及び図３ｂを参考にして、第１フリッパー装置１０Ａ及び第２フリッパー装置１０Ｂのそれぞれは、所定の軸方向に対象物をつかんで所定の軸を中心に対象物を回転させるように構成される少なくとも１つのフリッパーユニット１００及び／又は３００を含む。ここで、所定の軸方向は、Ｘ軸方向またはＹ軸方向になり得る。以下、フリッパー装置１０に関する内容は、第１フリッパー装置１０Ａ及び第２フリッパー装置１０Ｂのそれぞれに適用され得る。
【００３７】
前記少なくとも１つのフリッパーユニットは、Ｙ軸方向に対象物ＭをつかんでＹ軸を中心に対象物Ｍを回転させるように構成されるＹ軸フリッパーユニット１００を含み得る。フリッパー装置１０は、前記少なくとも１つのフリッパーユニットが支持されるＺ軸昇降ユニット５００を含み得る。Ｚ軸昇降ユニット５００は、前記少なくとも１つのフリッパーユニットをＺ軸方向に昇降させるように構成される。フリッパー装置１０は、対象物ＭをＸ軸方向に移送させるように構成される移送ユニット２００を含み得る。
【００３８】
図３ａを参考にして、一実施例によるフリッパー装置１０の前記少なくとも１つのフリッパーユニットは、Ｘ軸方向に対象物ＭをつかんでＸ軸を中心に対象物Ｍを回転させるように構成されるＸ軸フリッパーユニット３００を含む。フリッパー装置１０の前記少なくとも１つのフリッパーユニットは、Ｙ軸フリッパーユニット１００及びＸ軸フリッパーユニット３００を含む。
【００３９】
図３ａを参考にして、Ｚ軸昇降ユニット５００は、Ｘ軸フリッパーユニット３００を支持することができる。Ｚ軸昇降ユニット５００は、Ｘ軸フリッパーユニット３００をＺ軸方向に昇降させるように構成され得る。本開示で第１構成要素が第２構成要素を「支持する」ということは、第１構成要素に第２構成要素が直接接触して支持することだけでなく、第１構成要素と第２構成要素との間に配置される第３構成要素によって第１構成要素が第２構成要素を支持することまで包括するものである。
【００４０】
本実施例では、Ｚ軸昇降ユニット５００は、Ｙ軸フリッパーユニット１００及びＸ軸フリッパーユニット３００を支持し、Ｙ軸フリッパーユニット１００及びＸ軸フリッパーユニット３００をＺ軸方向に昇降させるように構成される。
【００４１】
図３ｂを参考にして、他の実施例によるフリッパー装置１０'の前記少なくとも１つのフリッパーユニットは、前記Ｘ軸フリッパーユニットを含まない。フリッパー装置１０'の前記少なくとも１つのフリッパーユニットはＹ軸フリッパーユニット１００を含む。
【００４２】
図示されていない更に他の実施例において、第１フリッパー装置及び／又は第２フリッパー装置は、Ｙ軸フリッパーユニット、Ｘ軸フリッパーユニット及び移送ユニットを含み得る。ここで、前記移送ユニットは、対象物を特定の方向（例えば、Ｘ軸方向）に移動させるように構成され、前記Ｙ軸フリッパーユニットが対象物をつかむように既に設定された対象物の第１位置、及び、前記Ｘ軸フリッパーユニットが対象物をつかむように既に設定された対象物の第２位置は、前記移送ユニット上で前記特定の方向に沿って互いに離隔され得る。例えば、移送ユニットを通じてフリッパー装置に流入した対象物は、前記第１位置で前記Ｙ軸フリッパーユニットによってつかまれ、Ｙ軸を中心に回転しながら検査を受けた後、前記第１位置に置かれることができる。その後、前記移送ユニットによって前記第１位置から前記第２位置に移動した対象物は、前記Ｘ軸フリッパーユニットによってつかまれ、Ｘ軸を中心に回転しながら検査を受けた後、前記第２位置に置かれることができる。その後、前記移送ユニットによって対象物は前記フリッパー装置から排出され得る。
【００４３】
その他にも、第１フリッパー装置及び第２フリッパー装置は多様な構造で具現され得る。以下、図３ａの一実施例によるフリッパー装置１０を基準として構成を具体的に説明するが、これは１つの例示に過ぎず、下記説明のうち一部は図３ｂなどの多様な他の実施例にも適用され得る。
【００４４】
図４及び図５は、図３ａのＹ軸フリッパーユニット１００、移送ユニット２００及び駆動部１６０、１７０、１８０、２６０、２７０、３８０の斜視図である。図４にはＹ軸ホルダー１３０の回転軸であるＹ軸Ｙが示される。Ｙ軸フリッパーユニット１００と移送ユニット２００の結合体は、Ｙ軸フリッパーアセンブリー１００、２００と称すことができる。Ｙ軸フリッパーアセンブリー１００、２００は、少なくとも１つ以上の駆動部１６０、１７０、１８０、２６０、２７０を含み得る。
【００４５】
図４及び図５を参考にして、Ｙ軸フリッパーユニット１００はＺ軸昇降ユニット５００に対してＺ軸方向に移動可能にＺ軸昇降ユニット５００に支持される。Ｙ軸フリッパーユニット１００は、Ｙ軸を中心に前記対象物を回転動作させることができるように構成される。Ｙ軸フリッパーユニット１００は、一対のＹ軸ホルダー１３０ａ、１３０ｂをＹ軸方向に狭めたり広げたりすることができるように構成される。Ｙ軸フリッパーユニット１００は、一対の補助グリップ部１３７をＹ軸方向に狭めたり広げたりすることができるように構成される。
【００４６】
Ｙ軸フリッパーユニット１００は、Ｚ軸昇降ユニット５００に支持されるＹ軸フリッパーベース１１０を含む。Ｙ軸フリッパーベース１１０は、Ｚ軸昇降ユニット５００にＺ軸方向に移動可能に配置される。Ｙ軸フリッパーベース１１０は、一対のボディーフレーム１２０ａ、１２０ｂを支持する。
【００４７】
Ｙ軸フリッパーユニット１００は、Ｙ軸フリッパーベース１１０に支持されるボディーフレーム１２０を含む。ボディーフレーム１２０は、Ｙ軸フリッパーベース１１０にＹ軸方向に移動可能に支持される。
【００４８】
Ｙ軸フリッパーユニット１００は、Ｙ軸方向に互いに狭められたり広げられたりするように作動するように構成される一対のボディーフレーム１２０ａ、１２０ｂを含む。一対のボディーフレーム１２０ａ、１２０ｂは、＋Ｙ軸方向に配置される第１ボディーフレーム１２０ａと、−Ｙ軸方向に配置される第２ボディーフレーム１２０ｂを含む。Ｙ軸フリッパーベース１１０は一対のボディーフレーム１２０ａ、１２０ｂを支持する。
【００４９】
Ｙ軸フリッパーユニット１００は、Ｙ軸ホルダー１３０を回転可能に支持する回転ジョイント１２１を含む。Ｙ軸ホルダー１３０のＹ軸シャフト１３１は、Ｙ軸を中心に回転可能に回転ジョイント１２１に支持され得る。
【００５０】
Ｙ軸フリッパーユニット１００は、前記対象物のＹ軸方向で前記対象物をつかむように構成されるＹ軸ホルダー１３０を含む。Ｙ軸フリッパーユニット１００は、対応する一対のボディーフレーム１２０ａ、１２０ｂに支持される一対のＹ軸ホルダー１３０ａ、１３０ｂを含む。一対のＹ軸ホルダー１３０ａ、１３０ｂは、＋Ｙ軸方向に配置される第１Ｙ軸ホルダー１３０ａと、−Ｙ軸方向に配置される第２Ｙ軸ホルダー１３０ｂを含む。
【００５１】
一対のＹ軸ホルダー１３０ａ、１３０ｂは、一対のボディーフレーム１２０ａ、１２０ｂに対してＹ軸を中心に回転するように構成される。一対のＹ軸ホルダー１３０ａ、１３０ｂの間で前記対象物をつかめるように構成される。一対のＹ軸ホルダー１３０ａ、１３０ｂは、Ｙ軸方向に前記対象物をつかめるように構成される。
【００５２】
Ｙ軸フリッパーユニット１００は、ボディーフレーム１２０にＹ軸を中心に回転可能に支持されるＹ軸シャフト１３１を含む。Ｙ軸シャフト１３１は、対応するボディーフレーム１２０をＹ軸方向に貫いて配置され得る。Ｙ軸シャフト１３１は、ボディーフレーム１２０の回転ジョイント１２１によって回転可能に支持され得る。
【００５３】
一対のＹ軸ホルダー１３０のうちいずれか１つのＹ軸ホルダー１３０を基準として具体的に説明すると、次の通りである。いずれか１つのＹ軸ホルダー１３０において第１方向は残りの１つのＹ軸ホルダーを見る方向を意味し、第２方向は前記第１方向の反対方向を意味する。
【００５４】
Ｙ軸ホルダー１３０は、ボディーフレーム１２０にＹ軸を中心に回転可能に支持されるＹ軸シャフト１３１を含む。Ｙ軸シャフト１３１の前記第１方向の末端に支持グリップ部１３３が固定され得る。Ｙ軸シャフト１３１は回転ロッド１８２ｃと結合される。
【００５５】
Ｙ軸ホルダー１３０は、Ｙ軸シャフト１３１に支持される支持グリップ部１３３を含む。支持グリップ部１３３は、Ｙ軸方向Ｙ１に突出して前記対象物の一端を係止させるように構成される。支持グリップ部１３３は、弾性グリップ部１３５を基準として−Ｚ軸方向側でＹ軸方向に突出して＋Ｚ軸方向に対象物Ｍに接触可能な支持面を形成する。支持グリップ部１３３は前記第１方向に突出末端を形成する。
【００５６】
支持グリップ部１３３の前記第２方向側にＹ軸シャフト１３１が固定される。支持グリップ部１３３は弾性グリップ部１３５の移動方向をガイド（ｇｕｉｄｅ）することができる。支持グリップ部１３３は補助グリップ部１３７の移動方向をガイドすることができる。
【００５７】
Ｙ軸ホルダーは、対象物Ｍに接触して押されれば、弾性力が発生するように構成される弾性グリップ部１３５を含む。弾性グリップ部１３５は、対象物Ｍに接触する時、弾性部材（図示せず）を圧縮させるように構成される。弾性グリップ部１３５は支持グリップ部１３３を媒介としてＹ軸シャフト１３１に支持され得る。
【００５８】
Ｙ軸ホルダー１３０は、弾性グリップ部１３５を基準として＋Ｚ軸方向側でＹ軸方向に移動するように構成される補助グリップ部１３７を含む。補助グリップ部１３７は支持グリップ部１３３に対してＹ軸方向に移動可能に構成される。補助グリップ部１３７はＹ軸シャフト１３１と一体に回転するように構成される。本開示において「一体に回転」するということは、複数の構成要素が互いに相対位置の変更なしに共に回転することを意味する。補助グリップ部１３７は前記第１方向に突出末端を形成する。
【００５９】
補助グリップ部１３７は、Ｙ軸方向に移動して対象物Ｍの他端を係止させたり係止解除させたりするように構成される。対象物Ｍの一端は支持グリップ部１３３に係止される。ここで言及される対象物Ｍの一端及び他端は、Ｙ軸に垂直な両方向（Ｚ軸方向）の末端を意味する。
【００６０】
フリッパー装置１０は、補助グリップ部１３７がＹ軸シャフト１３１に対してＹ軸方向に移動する駆動力を提供する補助グリップ部駆動部１８０を含む。補助グリップ部駆動部１８０は、駆動力を提供するシリンダ１８１と、シリンダ１８１の駆動力をＹ軸ホルダー１３０に伝達する駆動力伝達部１８２を含み得る。
【００６１】
一実施例において、駆動力伝達部１８２は、シリンダ１８１の駆動力が伝達され、Ｙ軸方向に移動するシリンダロッド１８２ａを含み得る。駆動力伝達部１８２は、シリンダロッド１８２ａに固定され、シリンダロッド１８２ａと一体に運動する連結ロッド１８２ｂを含み得る。駆動力伝達部１８２は、連結ロッド１８２ｂと連結される回転ロッド１８２ｃを含み得る。回転ロッド１８２ｃは、連結ロッド１８２ｂのＹ軸方向の移動に沿って共にＹ軸方向に移動するように連結ロッド１８２ｂに連結され、連結ロッド１８２ｂにＹ軸を中心に回転可能に連結される。
【００６２】
補助グリップ部駆動部１８０は、一端に補助グリップ部１３７が固定される回転ロッド１８２ｃを含む。回転ロッド１８２ｃの前記第１方向の末端に補助グリップ部１３７が固定され得る。回転ロッド１８２ｃは、補助グリップ部駆動部１８０の駆動力を補助グリップ部１３７に伝達するように構成される。回転ロッド１８２ｃは、補助グリップ部１３７とともに支持グリップ部１３３に対してＹ軸方向に移動することができる。
【００６３】
回転ロッド１８２ｃは、Ｙ軸シャフト１３１と一体に回転し、Ｙ軸シャフト１３１に対してＹ軸方向に移動可能に構成される。回転ロッド１８２ｃは、Ｙ軸シャフト１３１をＹ軸方向に貫いて配置され得る。
【００６４】
Ｙ軸フリッパーユニット１００は、Ｘ軸フリッパーユニット３００のＺ軸方向の移動を案内するＸ軸フリッパーガイド１４０を含み得る。Ｘ軸フリッパーユニット３００は、移送ユニット２００のＺ軸方向の移動を案内する移送ユニットガイド１４５を含み得る。Ｙ軸フリッパーユニット１００は、Ｚ軸昇降ユニット５００のＺ軸ガイド５３０に沿ってＺ軸方向にスライディング（ｓｌｉｄｉｎｇ）するように構成されるＺ軸スライダー１５０を含み得る。
【００６５】
Ｙ軸フリッパーユニット１００は、Ｙ軸ホルダー１３０の所定の回転角の位置を感知するＹ軸回転溝センサ（図示せず）を含み得る。Ｙ軸フリッパーユニット１００は、補助グリップ部１３７が支持グリップ部１３３に対して所定の相対位置に移動した場合、感知信号を発生させる補助グリップ部センサ（図示せず）を含み得る。Ｙ軸フリッパーユニット１００は、ボディーフレーム１２０がＹ軸フリッパーベース１１０に対して所定の相対位置に移動した場合、感知信号を発生させるＹ軸移動センサ（図示せず）を含み得る。前記Ｙ軸移動センサは、一対のボディーフレーム１２０ａ、１２０ｂがＹ軸方向に狭められた状態及び広げられた状態を感知することができる。
【００６６】
Ｙ軸フリッパーユニット１００は、前記Ｙ軸コンタクタに前記対象物が接触し、Ｙ軸コンタクタが支持グリップ部１３３に対してＹ軸方向に所定距離移動した場合、感知信号を発生させるＹ軸コンタクタセンサ（図示せず）を含み得る。前記Ｙ軸コンタクタセンサは、前記Ｙ軸コンタクタが後述の少なくとも１つの弾性部材１３５ｂを圧縮する時、信号を感知することができる。後述のＹ軸移動駆動部１６０は、一対のボディーフレーム１２０ａ、１２０ｂが互いに近づく方向に駆動力を提供する途中で、前記Ｙ軸コンタクタセンサによって信号が感知される時、駆動力の提供を中断するように構成され得る。
【００６７】
移送ユニット２００は、Ｙ軸フリッパーユニット１００に支持される。移送ユニット２００は、Ｙ軸フリッパーユニット１００に対してＺ軸方向に移動するように構成される。移送ユニット２００は、移送ベルト２１０を作動させ、移送ベルト２１０の上に載積された前記対象物をＸ軸方向に移送させるように構成される。
【００６８】
本実施例において、移送ユニット２００は、対象物が載積されるコンベヤーベルト構造を含むが、図示されていない他の実施例において、移送ユニットは、対象物が載積される溝を有するスライダー及び前記スライダーの移動を案内するレール構造を含み得る。その他にも、移送ユニットは多様な方式で具現され得るが、以下では本実施例を基準として説明する。
【００６９】
移送ユニット２００は、一対の移送部２００ａ、２００ｂを含み得る。一対の移送部２００ａ、２００ｂは、対応する前記一対のボディーフレームに支持される。一対の移送部２００ａ、２００ｂは、第１ボディーフレーム１２０ａに支持される第１移送部２００ａと、第２ボディーフレーム１２０ｂに支持される第２移送部２００ｂを含む。一対の移送部２００ａ、２００ｂは、前記対象物をＸ軸方向に移送させるように構成される。
【００７０】
移送ユニット２００は、前記対象物を支持してＸ軸方向に移送させるように構成される移送ベルト２１０を含む。移送ユニット２００は、回転によって移送ベルト２１０を作動させるように構成される移送プーリー２２０を含む。移送ユニット２００は、移送プーリー２２０が配置される移送フレーム２３０を含む。移送フレーム２３０はボディーフレーム１２０に支持される。
【００７１】
Ｙ軸フリッパーアセンブリー１００、２００は、移送ユニット２００がＹ軸フリッパーユニット１００に対して所定の相対位置に移動した場合、感知信号を発生させる移送ユニット昇降センサ（図示せず）を含み得る。前記移送ユニット昇降センサは、移送ユニット２００がＺ軸方向に上昇した状態及び下降した状態を感知することができる。一対の移送部２００ａ、２００ｂに対応する一対の移送ユニット昇降センサが備えられ得る。
【００７２】
フリッパー装置１０は、一対のボディーフレーム１２０ａ、１２０ｂがＹ軸フリッパーベース１１０に対してＹ軸方向に移動する駆動力を提供するＹ軸移動駆動部１６０を含む。Ｙ軸移動駆動部１６０はＹ軸フリッパーユニット１００に支持される。Ｙ軸移動駆動部１６０は、モータ１６１と、モータ１６１の駆動力を一対のボディーフレーム１２０ａ、１２０ｂに伝達する駆動力伝達部１６３を含み得る。
【００７３】
一実施例において、駆動力伝達部１６３は、モータ１６１の回転軸に固定されて回転するプーリー１６３ａと、プーリー１６３ａに巻かれて回転力が伝達されるベルト１６３ｂと、ベルト１６３ｂにかかって回転力が伝達されるプーリー１６３ｃを含み得る。駆動力伝達部１６３は、プーリー１６３ｃに結合され、プーリー１６３ｃと一体に回転するリードスクリュー（ｌｅａｄ ｓｃｒｅｗ）１６３ｄを含み得る。リードスクリュー１６３ｄが一方向に回転する時、一対のボディーフレーム１２０ａ、１２０ｂはリードスクリュー１６３ｄに沿って移動してＹ軸方向に互いに狭められ、リードスクリュー１６３ｄが他方向に回転する時、一対のボディーフレーム１２０ａ、１２０ｂはリードスクリュー１６３ｄに沿って移動してＹ軸方向に互いに遠くなることができる。
【００７４】
フリッパー装置１０は、Ｙ軸ホルダー１３０がボディーフレーム１２０に対して回転する駆動力を提供するＹ軸ホルダー回転駆動部１７０を含む。Ｙ軸ホルダー回転駆動部１７０は、Ｙ軸シャフト１３１を回転させる駆動力を提供することができる。Ｙ軸ホルダー回転駆動部１７０はＹ軸フリッパーユニット１００に支持される。Ｙ軸ホルダー回転駆動部１７０は、モータ１７１と、モータ１７１の駆動力を一対のＹ軸ホルダー１３０ａ、１３０ｂに伝達する駆動力伝達部１７３ａ、１７３ｂ、１７３ｃを含み得る。
【００７５】
駆動力伝達部１７３ａ、１７３ｂ、１７３ｃは、モータ１７１の回転力を第１駆動力伝達部１７３ｂ及び第２駆動力伝達部１７３ｃに伝達する基礎駆動力伝達部１７３ａを含み得る。駆動力伝達部１７３ａ、１７３ｂ、１７３ｃは、基礎駆動力伝達部１７３ａから回転力が伝達され、第１Ｙ軸ホルダー１３０ａに伝達する第１駆動力伝達部１７３ｂと、基礎駆動力伝達部１７３ａから回転力が伝達され、第２Ｙ軸ホルダー１３０ｂに伝達する第２駆動力伝達部１７３ｃを含み得る。
【００７６】
一実施例において、基礎駆動力伝達部１７３ａは、モータ１７１の回転軸に固定されて回転するプーリー１７３ａ１と、プーリー１７３ａ１に巻かれて回転力が伝達されるベルト１７３ａ２、及びベルト１７３ａ２にかかって回転力が伝達されるプーリー１７３ａ３を含み得る。基礎駆動力伝達部１７３ａは、プーリー１７３ａ３に結合され、プーリー１７３ａ３と一体に回転するセレーテッドシャフト（ｓｅｒｒａｔｅｄ ｓｈａｆｔ）１７３ａ４を含み得る。モータ１７１及び基礎駆動力伝達部１７３ａはＹ軸フリッパーベース１１０に支持され得る。
【００７７】
一実施例において、第１駆動力伝達部１７３ｂは、セレーテッドシャフト１７３ａ４と結合されて回転力が伝達されるものの、セレーテッドシャフト１７３ａ４に沿ってＹ軸方向に移動可能に構成されたプーリー１７３ｂ１を含み得る。第１駆動力伝達部１７３ｂは、プーリー１７３ｂ１に巻かれて回転力が伝達されるベルト１７３ｂ２と、ベルト１７３ｂ２にかかって回転力が伝達され、第１Ｙ軸ホルダー１３０ａを回転させるプーリー１７３ｂ３を含み得る。第１駆動力伝達部１７３ｂは、ベルト１７３ｂ２の位置を案内するようにベルト１７３ｂ２に接触するガイドプーリー１７３ｂ４を含み得る。第１駆動力伝達部１７３ｂは第１ボディーフレーム１２０ａに支持される。
【００７８】
一実施例において、第２駆動力伝達部１７３ｃは、セレーテッドシャフト１７３ａ４と結合されて回転力が伝達されるものの、セレーテッドシャフト１７３ａ４に沿ってＹ軸方向に移動可能に構成されたプーリー１７３ｃ１を含み得る。第２駆動力伝達部１７３ｃは、プーリー１７３ｃ１に巻かれて回転力が伝達されるベルト１７３ｃ２と、ベルト１７３ｃ２にかかって回転力が伝達され、第２Ｙ軸ホルダー１３０ｂを回転させるプーリー１７３ｃ３を含み得る。第２駆動力伝達部１７３ｃは、ベルト１７３ｃ２の位置を案内するようにベルト１７３ｃ２に接触するガイドプーリー１７３ｃ４を含み得る。第２駆動力伝達部１７３ｃは第２ボディーフレーム１２０ｂに支持される。
【００７９】
フリッパー装置１０は、補助グリップ部１３７を作動させる駆動力を提供する補助グリップ部駆動部１８０を含む。一対の補助グリップ部をそれぞれ作動させる駆動力を提供する一対の補助グリップ部駆動部１８０ａ、１８０ｂが備えられ得る。補助グリップ部駆動部１８０はボディーフレーム１２０に支持され得る。
【００８０】
フリッパー装置１０は、移送ユニット２００がＹ軸フリッパーユニット１００に対してＺ軸方向に移動する駆動力を提供する移送ユニット昇降駆動部２６０を含む。移送ユニット昇降駆動部２６０はボディーフレーム１２０に支持され得る。例えば、移送ユニット昇降駆動部２６０は上下方向にロッドを駆動させるシリンダを含み得る。
【００８１】
移送ユニット昇降駆動部２６０は、一対の移送部２００ａ、２００ｂをそれぞれ作動させる一対の移送部昇降駆動部２６０ａ、２６０ｂを含む。移送部昇降駆動部２６０ａ、２６０ｂはボディーフレーム１２０に支持される。移送部昇降駆動部２６０ａ、２６０ｂは、移送部２００ａ、２００ｂがボディーフレーム１２０に対してＺ軸方向に移動する駆動力を提供する。一対の移送部昇降駆動部２６０ａ、２６０ｂは、第１移送部２００ａを昇降させる第１移送部昇降駆動部２６０ａと、第２移送部２００ｂを昇降させる第２移送部昇降駆動部２６０ｂを含む。
【００８２】
フリッパー装置１０は、移送ベルト２１０が作動する駆動力を提供するベルト駆動部２７０を含む。ベルト駆動部２７０は移送フレーム２３０に支持され得る。例えば、ベルト駆動部２７０は、モータ２７１と、モータ２７１の駆動力を移送ベルト２１０に伝達するベルト及びプーリー２７２を含み得る。
【００８３】
ベルト駆動部２７０は、一対の移送部２００ａ、２００ｂの移送ベルト２１０をそれぞれ作動させる一対のベルト駆動部２７０ａ、２７０ｂを含む。一対のベルト駆動部２７０ａ、２７０ｂは、第１移送部２００ａの移送ベルト２１０を作動させる第１ベルト駆動部２７０ａと、第２移送部２００ｂの移送ベルト２１０を作動させる第２ベルト駆動部２７０ｂを含む。
【００８４】
フリッパー装置１０は、Ｘ軸フリッパーユニット３００がＹ軸フリッパーユニット１００に対してＺ軸方向に移動する駆動力を提供するＸ軸フリッパー昇降駆動部３８０を含み得る。Ｘ軸フリッパー昇降駆動部３８０は、Ｙ軸フリッパーベース１１０に支持され得る。Ｘ軸フリッパー昇降駆動部３８０は、モータ３８１と、モータ３８１の駆動力をＸ軸フリッパーユニット３００に伝達する駆動力伝達部３８３を含み得る。
【００８５】
一実施例において、駆動力伝達部３８３は、モータ３８１の回転軸に固定されて回転するプーリー３８３ａと、プーリー３８３ａに巻かれて回転力が伝達されるベルト３８３ｂと、ベルト３８３ｂにかかって回転力が伝達されるプーリー３８３ｃを含み得る。駆動力伝達部３８３は、プーリー３８３ｃに結合され、プーリー３８３ｃと一体に回転するリードスクリュー３８３ｄを含み得る。リードスクリュー３８３ｄが一方向に回転する時、Ｘ軸フリッパーベース３１０はリードスクリュー３８３ｄに沿って＋Ｚ軸方向に移動し、リードスクリュー３８３ｄが他方向に回転する時、Ｘ軸フリッパーベース３１０はリードスクリュー３８３ｄに沿って−Ｚ軸方向に移動することができる。
【００８６】
図６は、図３ａのＸ軸フリッパーユニット３００及び駆動部３６０、３７０の斜視図である。図６にはＸ軸ホルダー３３０の回転軸であるＸ軸Ｘが示される。
【００８７】
図６を参考にして、Ｘ軸フリッパーユニット３００は、Ｙ軸フリッパーユニット１００に対してＺ軸方向に移動可能にＹ軸フリッパーユニット１００に支持され得る。Ｘ軸フリッパーユニット３００は、Ｘ軸を中心に前記対象物を回転動作させることができるように構成される。Ｘ軸フリッパーユニット３００は、一対のＸ軸ホルダー３３０ａ、３３０ｂをＸ軸方向に狭めたり広げたりすることができるように構成される。Ｘ軸フリッパーユニット３００は、Ｙ軸フリッパーユニット１００に対してＺ軸方向に移動することができるように構成される。
【００８８】
Ｘ軸フリッパーユニット３００は、Ｚ軸昇降ユニット５００に支持されるＸ軸フリッパーベース３１０を含む。Ｘ軸フリッパーベース３１０はＹ軸フリッパーユニット１００を媒介としてＺ軸昇降ユニット５００に支持され得る。Ｘ軸フリッパーベース３１０はＹ軸フリッパーベース１１０に支持され得る。Ｘ軸フリッパーベース３１０はＹ軸フリッパーユニット１００に対してＺ軸方向に移動可能に配置され得る。
【００８９】
Ｘ軸フリッパーユニット３００は、Ｘ軸フリッパーベース３１０に支持されるサイドフレーム３２０を含む。サイドフレーム３２０はＸ軸フリッパーベース３１０に対してＸ軸方向に移動可能に支持される。
【００９０】
Ｘ軸フリッパーユニット３００は、Ｘ軸方向に互いに狭められたり広げられたりするように作動するように構成される一対のサイドフレーム３２０を含む。一対のサイドフレーム３２０は、＋Ｘ軸方向に配置される第１サイドフレーム３２０ａと、−Ｘ軸方向に配置される第２サイドフレーム３２０ｂを含む。Ｘ軸フリッパーベース３１０は一対のサイドフレーム３２０を支持する。
【００９１】
Ｘ軸フリッパーユニット３００は、Ｘ軸ホルダー３３０を回転可能に支持する回転ジョイント３２１を含む。Ｘ軸ホルダー３３０のＸ軸シャフト３３１は、Ｘ軸を中心に回転可能に回転ジョイント３２１に支持され得る。
【００９２】
Ｘ軸フリッパーユニット３００は、前記対象物のＸ軸方向で前記対象物をつかむように構成されるＸ軸ホルダー３３０を含む。Ｘ軸フリッパーユニット３００は、対応する一対のサイドフレーム３２０ａ、３２０ｂに支持される一対のＸ軸ホルダー３３０ａ、３３０ｂを含む。一対のＸ軸ホルダー３３０ａ、３３０ｂは、＋Ｘ軸方向に配置される第１Ｘ軸ホルダー３３０ａと、−Ｘ軸方向に配置される第２Ｘ軸ホルダー３３０ｂを含む。
【００９３】
一対のＸ軸ホルダー３３０ａ、３３０ｂは、一対のサイドフレーム３２０ａ、３２０ｂに対してＸ軸を中心に回転するように構成される。一対のＸ軸ホルダー３３０ａ、３３０ｂの間で対象物をつかめるように構成される。
【００９４】
Ｘ軸フリッパーユニット３００は、サイドフレーム３２０にＸ軸を中心に回転可能に支持されるＸ軸シャフト３３１を含む。Ｘ軸シャフト３３１は、対応するサイドフレーム３２０をＸ軸方向に貫いて配置され得る。Ｘ軸シャフト３３１は、サイドフレーム３２０の回転ジョイント３２１により回転可能に支持され得る。
【００９５】
Ｘ軸ホルダー３３０は、サイドフレーム３２０にＸ軸を中心に回転可能に支持される。Ｘ軸ホルダー３３０は、前記対象物にＸ軸方向に接触するように構成される接触面３３５ａを有するＸ軸コンタクタ３３５を含む。Ｘ軸コンタクタ３３５はＸ軸シャフト３３１に支持される。Ｘ軸コンタクタ３３５はＸ軸上に配置される。Ｘ軸がＸ軸コンタクタ３３５を貫くように、Ｘ軸コンタクタ３３５が配置される。
【００９６】
Ｘ軸ホルダー３３０は、＋Ｚ軸方向の部分が−Ｚ軸方向の部分に比べてＸ軸方向に沿って突出するように形成される第１グリップ部３３６を含み得る。第１グリップ部３３６はＸ軸シャフト３３１に支持される。第１グリップ部３３６はＸ軸コンタクタ３３５の一側に配置される。第１グリップ部３３６はＸ軸コンタクタ３３５を基準としてＸ軸に垂直な方向に配置される。
【００９７】
第１グリップ部３３６の＋Ｚ軸方向の部分は、Ｘ軸方向に沿って突出して第１突出面３３６ａを形成し、第１グリップ部３３６の−Ｚ軸方向の部分は、Ｘ軸方向に沿って陥没して第１リセス面３３６ｃを形成する。第１グリップ部３３６は、第１突出面３３６ａと第１リセス面３３６ｃを連結する第１傾斜面３３６ｂを形成する。Ｘ軸コンタクタ３３５を中心に両側に一対の第１グリップ部３３６が備えられ得る。
【００９８】
Ｘ軸ホルダー３３０は、−Ｚ軸方向の部分が＋Ｚ軸方向の部分に比べてＸ軸方向に沿って突出するように形成される第２グリップ部３３７を含み得る。第２グリップ部３３７はＸ軸シャフト３３１に支持される。第２グリップ部３３７は第１グリップ部３３６の一側に配置される。第２グリップ部３３７は第１グリップ部３３６を基準としてＸ軸に垂直な方向に配置される。
【００９９】
Ｘ軸コンタクタ３３５、第１グリップ部３３６及び第２グリップ部３３７は、Ｘ軸に垂直ないずれか１つの方向に沿って配列され得る。Ｘ軸コンタクタ３３５、第１グリップ部３３６及び第２グリップ部３３７は、Ｙ軸方向に沿って配列され得る。
【０１００】
第２グリップ部３３７の＋Ｚ軸方向の部分は、Ｘ軸方向に沿って突出して第２突出面３３７ａを形成し、第２グリップ部３３７の−Ｚ軸方向の部分は、Ｘ軸方向に沿って陥没して第２リセス面３３７ｃを形成する。第２グリップ部３３７は、第２突出面３３７ａと第２リセス面３３７ｃを連結する第２傾斜面３３７ｂを形成する。Ｘ軸コンタクタ３３５を中心に両側に一対の第２グリップ部３３７が備えられ得る。
【０１０１】
Ｘ軸フリッパーユニット３００は、移送ユニット２００により移動する前記対象物の移動を制限する移送ストッパー３４０を含み得る。移送ストッパー３４０は、一対のＸ軸ホルダー３３０ａ、３３０ｂのうちいずれか１つのみに配置され得る。本実施例において、移送ストッパー３４０は第１Ｘ軸ホルダー３３０ａに固定される。移送ストッパー３４０は、第１Ｘ軸ホルダー３３０ａにおいて＋Ｚ軸方向に突出して−Ｘ軸方向を見る表面を形成することができる。移送ユニット２００によりＸ軸方向に移動する前記対象物は、移送ストッパー３４０に係止され、Ｘ軸方向への移動が停止し得る。
【０１０２】
Ｘ軸フリッパーユニット３００は、Ｙ軸フリッパーユニット１００のＸ軸フリッパーガイド１４０に沿ってＺ軸方向にスライディングするように構成されるＸ軸フリッパースライダー３５０を含み得る。一対のＸ軸フリッパースライダー３５０がＸ軸方向に互いに向かい合うように構成され得る。
【０１０３】
Ｘ軸フリッパーユニット３００は、Ｘ軸ホルダー３３０の所定の回転角の位置を感知するＸ軸回転溝センサ（図示せず）を含み得る。Ｘ軸フリッパーユニット３００は、Ｘ軸コンタクタ３３５に前記対象物が接触した場合、感知信号を発生させるＸ軸コンタクタセンサ（図示せず）を含み得る。Ｘ軸フリッパーユニット３００は、サイドフレーム３２０がＸ軸フリッパーベース３１０に対して所定の相対位置に移動した場合、感知信号を発生させるＸ軸移動センサ（図示せず）を含み得る。前記Ｘ軸移動センサは、一対のサイドフレーム３２０ａ、３２０ｂがＸ軸方向に狭められた状態及び広げられた状態を感知することができる。
【０１０４】
Ｘ軸フリッパーユニット３００は、Ｘ軸フリッパーベース３１０がＹ軸フリッパーベース１１０に対して所定の相対位置に移動した場合、感知信号を発生させるＺ軸移動センサ３９１ａ、３９１ｂを含み得る（図５参考）。Ｘ軸フリッパーベース３１０がＹ軸フリッパーベース１１０に対して所定の相対位置に配置されれば、Ｘ軸フリッパーベース３１０に固定されたターゲット（図示せず）がＺ軸移動センサ３９１ａ、３９１ｂにより感知される。
【０１０５】
フリッパー装置１０は、一対のサイドフレーム３２０ａ、３２０ｂがＸ軸フリッパーベース３１０に対してＸ軸方向に移動する駆動力を提供するＸ軸移動駆動部３６０を含む。Ｘ軸移動駆動部３６０はＸ軸フリッパーユニット３００に支持される。Ｘ軸移動駆動部３６０は、モータ３６１と、モータ３６１の駆動力を一対のサイドフレーム３２０ａ、３２０ｂに伝達する駆動力伝達部３６３を含み得る。
【０１０６】
一実施例において、駆動力伝達部３６３は、モータ３６１の回転軸に固定されて回転するプーリー（図示せず）と、前記プーリーに巻かれて回転力が伝達されるベルト３６３ｂと、ベルト３６３ｂにかかって回転力が伝達されるプーリー３６３ｃを含み得る。駆動力伝達部３６３は、プーリー３６３ｃに結合され、プーリー３６３ｃと一体に回転するリードスクリュー３６３ｄを含み得る。リードスクリュー３６３ｄが一方向に回転する時、一対のサイドフレーム３２０ａ、３２０ｂはリードスクリュー３６３ｄに沿って移動してＸ軸方向に互いに狭められ、リードスクリュー３６３ｄが他方向に回転する時、一対のサイドフレーム３２０ａ、３２０ｂはリードスクリュー３６３ｄに沿って移動してＸ軸方向に互いに遠くなることができる。
【０１０７】
フリッパー装置１０は、Ｘ軸ホルダー３３０がサイドフレーム３２０に対して回転する駆動力を提供するＸ軸ホルダー回転駆動部３７０を含む。Ｘ軸ホルダー回転駆動部３７０は、Ｘ軸シャフト３３１を回転させる駆動力を提供することができる。Ｘ軸ホルダー回転駆動部３７０はＸ軸フリッパーユニット３００に支持される。Ｘ軸ホルダー回転駆動部３７０は、モータ３７１と、モータ３７１の駆動力を一対のＸ軸ホルダー３３０ａ、３３０ｂに伝達する駆動力伝達部３７３ａ、３７３ｂ、３７３ｃを含み得る。
【０１０８】
駆動力伝達部３７３ａ、３７３ｂ、３７３ｃは、モータ３７１の回転力を第１駆動力伝達部３７３ｂ及び第２駆動力伝達部３７３ｃに伝達する基礎駆動力伝達部３７３ａを含み得る。駆動力伝達部３７３ａ、３７３ｂ、３７３ｃは、基礎駆動力伝達部３７３ａから回転力が伝達され、第１Ｘ軸ホルダー３３０ａに伝達する第１駆動力伝達部３７３ｂと、基礎駆動力伝達部３７３ａから回転力が伝達され、第２Ｘ軸ホルダー３３０ｂに伝達する第２駆動力伝達部３７３ｃを含み得る。
【０１０９】
一実施例において、基礎駆動力伝達部３７３ａは、モータ３７１の回転軸に固定されて回転するプーリー３７３ａ１と、プーリー３７３ａ１に巻かれて回転力が伝達されるベルト３７３ａ２、及びベルト３７３ａ２にかかって回転力が伝達されるプーリー３７３ａ３を含み得る。基礎駆動力伝達部３７３ａは、プーリー３７３ａ３に結合され、プーリー３７３ａ３と一体に回転するセレーテッドシャフト３７３ａ４を含み得る。モータ３７１及び基礎駆動力伝達部３７３ａはＸ軸フリッパーベース３１０に支持され得る。
【０１１０】
一実施例において、第１駆動力伝達部３７３ｂは、セレーテッドシャフト３７３ａ４と結合されて回転力が伝達されるものの、セレーテッドシャフト３７３ａ４に沿ってＸ軸方向に移動可能に構成されたプーリー３７３ｂ１を含み得る。第１駆動力伝達部３７３ｂは、プーリー３７３ｂ１に巻かれて回転力が伝達されるベルト３７３ｂ２と、ベルト３７３ｂ２にかかって回転力が伝達され、第１Ｘ軸ホルダー３３０ａを回転させるプーリー３７３ｂ３を含み得る。第１駆動力伝達部３７３ｂは、ベルト３７３ｂ２の位置を案内するようにベルト３７３ｂ２に接触するガイドプーリー３７３ｂ４を含み得る。第１駆動力伝達部３７３ｂは第１サイドフレーム３２０ａに支持される。
【０１１１】
一実施例において、第２駆動力伝達部３７３ｃは、セレーテッドシャフト３７３ａ４と結合されて回転力が伝達されるものの、セレーテッドシャフト３７３ａ４に沿ってＸ軸方向に移動可能に構成されたプーリー（図示せず）を含み得る。第２駆動力伝達部３７３ｃは、第１駆動力伝達部３７３ｂの方式で構成され、第２Ｘ軸ホルダー３３０ｂを回転させることができる。第２駆動力伝達部３７３ｃは第２サイドフレーム３２０ｂに支持される。
【０１１２】
図７及び図８は、図３ａのＺ軸昇降ユニット５００及びＺ軸昇降駆動部５６０の斜視図である。図７及び図８を参考にして、Ｚ軸昇降ユニット５００はフリッパー装置１０外部の環境（例えば、外部の底や壁体など）に支持され得る。Ｙ軸フリッパーユニット１００はＺ軸昇降ユニット５００に対してＺ軸方向に昇降され得る。
【０１１３】
Ｚ軸昇降ユニット５００は、外部の環境に支持される支持フレーム５１０を含み得る。Ｚ軸昇降ユニット５００は、支持フレーム５１０に形成されるＺ軸ガイド５３０を含み得る。Ｚ軸ガイド５３０はＹ軸フリッパーユニット１００のＺ軸方向の移動を案内する。
【０１１４】
Ｚ軸昇降ユニット５００は、Ｙ軸フリッパーベース１１０がＺ軸昇降ユニット５００に対して所定の相対位置に移動した場合、感知信号を発生させる昇降センサ５９１ａ、５９１ｂを含み得る。Ｙ軸フリッパーベース１１０がＺ軸昇降ユニット５００に対して所定の相対位置に配置されれば、Ｙ軸フリッパーベース１１０に固定されたターゲット５９１ｔがＺ軸移動センサ３９１ａ、３９１ｂにより感知される（図３ａ参考）。
【０１１５】
フリッパー装置１０は、Ｙ軸フリッパーユニット１００及びＸ軸フリッパーユニット３００がＺ軸昇降ユニット５００に対してＺ軸方向に移動する駆動力を提供するＺ軸昇降駆動部５６０を含み得る。Ｚ軸昇降駆動部５６０はＺ軸昇降ユニット５００に支持され得る。Ｚ軸昇降駆動部５６０は、モータ５６１と、モータ５６１の駆動力をＹ軸フリッパーユニット１００に伝達する駆動力伝達部５６３を含み得る。
【０１１６】
一実施例において、駆動力伝達部５６３は、モータ５６１の回転軸に固定されて回転するプーリー５６３ａと、プーリー５６３ａに巻かれて回転力が伝達されるベルト５６３ｂと、ベルト５６３ｂにかかって回転力が伝達されるプーリー５６３ｃを含み得る。駆動力伝達部５６３は、プーリー５６３ｃに結合され、プーリー５６３ｃと一体に回転するリードスクリュー５６３ｄを含み得る。リードスクリュー５６３ｄが一方向に回転する時、Ｙ軸フリッパーベース１１０はリードスクリュー５６３ｄに沿って＋Ｚ軸方向に移動し、リードスクリュー５６３ｄが他方向に回転する時、Ｙ軸フリッパーベース１１０はリードスクリュー５６３ｄに沿って−Ｚ軸方向に移動することができる。
【０１１７】
図９〜図１６は、フリッパー装置１０の一実施例による作動過程を順に示す斜視図であって、説明の便宜上、いくつかの図面ではＸ軸フリッパーユニット３００）及びＺ軸昇降ユニット５００が省略される。
【０１１８】
図９を参考にして、対象物Ｍがフリッパー装置１０に入ってくる。移送ユニット２００の移送ベルト２１０の上側面は＋Ｘ軸方向に移動する（矢印Ｍｃ１参考）。これにより、移送ベルト２１０の上に載積された対象物Ｍは＋Ｘ軸方向に移動する（矢印Ｉｎ参考）。
【０１１９】
図９及び図１０を参考にして、Ｘ軸フリッパーユニット３００は、Ｙ軸フリッパーユニット１００に対して所定範囲下降した状態であって、対象物Ｍがフリッパー装置１０内の定位置まで移送される経路上でＸ軸フリッパーユニット３００に係止されず、フリッパー装置１０が定位置に到達する時、Ｘ軸フリッパーユニット３００の移送ストッパー３４０に係止される。図１０を参考にして、対象物Ｍは所定の定位置で移送ストッパー３４０により係止され、これ以上＋Ｘ軸方向に移動できず停止する。その後、一対のサイドフレーム３２０ａ、３２０ｂは互いにＸ軸方向に広げられ、Ｙ軸フリッパーユニット１００に対して＋Ｚ軸方向に移動し、対象物（Ｍ）と離隔された状態を維持する。
【０１２０】
図１１を参考にして、Ｙ軸フリッパーユニット１００の一対のボディーフレーム１２０ａ、１２０ｂはＹ軸方向に互いに狭められる（矢印Ｄｙ１参考）。ここで、Ｙ軸ホルダー１３０の支持グリップ部１３３は対象物Ｍの下側面を支えることになる。
【０１２１】
図１２を参考にして、移送ユニット２００ａ、２００ｂはボディーフレーム１２０に沿って−Ｚ軸方向に移動する（矢印Ｄｃ１参考）。これを通じて、対象物Ｍが回転する時、移送ユニット２００が干渉されないようにすることができる。
【０１２２】
図１２を参考にして、Ｙ軸ホルダー１３０の支持グリップ部１３３が対象物Ｍの下側を支え、弾性グリップ部１３５が対象物ＭのＹ軸方向の両側に接触した状態で、対象物Ｍの＋Ｚ軸方向を見る対象面Ａが前記カメラ装置によって検査される。ここで、一対の補助グリップ部１３７は一対の支持グリップ部１３３に比べてさらに広げられた状態であって、補助グリップ部１３７は対象面Ａの＋Ｚ軸方向を隠さないので、対象面Ａの全ての面が検査されることができる。対象面Ａの検査は、移送ユニット２００ａ、２００ｂが−Ｚ軸方向に下降動作中である時に行われることができ、この場合、検査時間を短縮させることができる。
【０１２３】
図１３を参考にして、対象面Ａの検査後の対象面Ｂ１、Ｂ２の検査のために、一対の補助グリップ部１３７は一対の支持グリップ部１３３に比べてさらに狭められた状態で移動する（矢印Ｄｓ１参考）。支持グリップ部１３３と補助グリップ部１３７が対象物Ｍの上下側をつかむことによって、対象物Ｍが安定的に回転することができる。
【０１２４】
図１４を参考にして、Ｙ軸ホルダー１３０が対象物Ｍをつかんだ状態でＹ軸を中心にいずれか１つの回転方向Ｒｙ１に対象物Ｍを回転させることによって、対象面Ａに対して垂直な対象面Ｂ１が＋Ｚ軸方向を見ることになる。ここで、対象面Ｂ１が前記カメラ装置によって検査される。
【０１２５】
図１５ａ及び図１５ｂを参考にして、Ｙ軸ホルダー１３０が対象物ＭをＹ軸を中心に９０度未満に回転させ、対象面Ｂ１に対して９０度未満に傾斜した対象面Ｂ１ａ、Ｂ１ｂも検査を受けることができる。対象物Ｍの角に曲率がある場合、このような検査方式は非常に役立つ。例えば、図１５ａを参考にして、Ｙ軸ホルダー１３０をいずれか１つの回転方向Ｒｙ２に回転させて対象面Ｂ１ａが検査され、図１５ｂを参考にして、Ｙ軸ホルダー１３０を反対回転方向Ｒｙ３に回転させて対象面Ｂ１ｂが検査されることができる。
【０１２６】
図１６を参考にして、Ｙ軸ホルダー１３０が対象物ＭをＹ軸を中心にいずれか１つの回転方向Ｒｙ４に対象物Ｍを回転させることによって、対象面Ｂ１の反対側面である対象面Ｂ２が＋Ｚ軸方向を見ることになる。ここで、対象面Ｂ２が前記カメラ装置によって検査される。
【０１２７】
図１７ａは、図１２の状態のフリッパー装置１０をＸ軸方向に見た立面図である。図１７ｂは、図１４の状態のフリッパー装置１０をＸ軸方向に見た立面図である。図１７ｃは、図１５ａの状態のフリッパー装置１０をＸ軸方向に見た立面図である。
【０１２８】
図１７ａ〜図１７ｃを参考にして、カメラ装置３０は地面ＧＬからＺ軸方向に一定の距離（Ｌｏ＋Ｌｇ）だけ離れた水平面Ｉｏ上に配置され、カメラ装置３０の検査方向Ｉｄは−Ｚ軸方向となる。カメラ装置３０はＸ軸方向及びＹ軸方向に移動しながら対象物Ｍの前記対象面を検査することができる。
【０１２９】
カメラ装置３０は、対象物Ｍの＋Ｚ軸方向を見る対象面から一定の距離Ｌｏを維持する。このために、前記対象面と地面ＧＬとの間の距離を一定の距離Ｌｇに維持することができる。Ｚ軸昇降ユニット５００は、前記距離Ｌｇを一定に維持するために、Ｙ軸フリッパーユニット１００をＺ軸方向に移動させる。
【０１３０】
図１７ａを参考にして、対象面Ａを検査する途中の、Ｙ軸フリッパーユニット１００の基準地点と地面ＧＬとの間の距離Ｌ１が示される。
【０１３１】
図１７ｂを参考にして、対象面Ｂ１のＹ軸フリッパーユニット１００に対する相対位置が、対象面Ｂ１のＹ軸フリッパーユニット１００に対する相対位置より高くなったので、Ｚ軸昇降ユニット５００はＹ軸フリッパーユニット１００を下側に所定距離移動させることができる（矢印Ｄｚ１参考）。ここで、Ｙ軸フリッパーユニット１００と地面ＧＬとの間の距離Ｌ２は距離Ｌ１に比べて短くなる。
【０１３２】
図１７ｃを参考にして、対象面Ｂ１ａのＹ軸フリッパーユニット１００に対する相対位置が、対象面Ｂ１のＹ軸フリッパーユニット１００に対する相対位置より低くなったので、Ｚ軸昇降ユニット５００はＹ軸フリッパーユニット１００を上側に所定距離移動させることができる（矢印Ｄｚ２参考）。ここで、Ｙ軸フリッパーユニット１００と地面ＧＬとの間の距離Ｌ３は距離Ｌ２に比べて長くなるが、距離Ｌ１に比べて短くなる。
【０１３３】
図１８〜図２６は、フリッパー装置１０の図１６の状態以降の一実施例による作動過程を順に示す斜視図であって、説明の便宜上、いくつかの図面ではＹ軸フリッパーユニット１００及びＺ軸昇降ユニット５００が省略される。
【０１３４】
図１８を参考にして、Ｙ軸ホルダー１３０は対象物Ｍを回転させ（矢印Ｒｙ５参考）、対象面Ａが＋Ｚ軸方向を見るように対象物を配置させる。一対のサイドフレーム３２０ａ、３２０ｂは、その前まで互いにＸ軸方向に広げられた状態を維持しており、ここで互いにＸ軸方向に狭められ、一対のＸ軸ホルダー３３０ａ、３３０ｂが対象物Ｍをつかむ（矢印Ｄｘ１参考）。
【０１３５】
図１９を参考にして、補助グリップ部１３７が支持グリップ部１３３に対して第２方向に移動して前記係止解除状態となり（矢印Ｄｓ２参考）、一対のボディーフレーム１２０ａ、１２０ｂが互いに広げられ、一対のＹ軸ホルダー１３０ａ、１３０ｂは対象物（Ｍ）から離隔される（矢印Ｄｙ２参考）。これを通じて、Ｘ軸ホルダー３３０が対象物Ｍを回転させる時、Ｙ軸ホルダー１３０が干渉されない。
【０１３６】
図２０を参考にして、Ｘ軸ホルダー３３０が対象物Ｍをつかんだ状態でＸ軸を中心にいずれか１つの回転方向Ｒｘ１に対象物Ｍを回転させることによって、対象面Ａに対して垂直な対象面Ｂ３が＋Ｚ軸方向を見ることになる。ここで、対象面Ｂ３が前記カメラ装置によって検査される。
【０１３７】
図２１ａ及び図２１ｂを参考にして、Ｘ軸ホルダー３３０が対象物ＭをＸ軸を中心に９０度未満に回転させ、対象面Ｂ３に対して９０度未満に傾斜した対象面Ｂ３ａ、Ｂ３ｂも検査を受けることができる。対象物Ｍの角に曲率がある場合、このような検査方式は非常に役立つ。例えば、図２１ａを参考にして、Ｘ軸ホルダー３３０をいずれか１つの回転方向Ｒｘ２に回転させて対象面Ｂ３ａが検査され、図２１ｂを参考にして、Ｘ軸ホルダー３３０を反対回転方向Ｒｘ３に回転させて対象面Ｂ３ｂが検査されることができる。
【０１３８】
図２２を参考にして、Ｘ軸ホルダー３３０が対象物ＭをＸ軸を中心にいずれか１つの回転方向Ｒｘ４に対象物Ｍを回転させることによって、対象面Ｂ３の反対側面である対象面Ｂ４が＋Ｚ軸方向を見ることになる。ここで、対象面Ｂ４が前記カメラ装置によって検査される。
【０１３９】
図示されてはいないが、Ｘ軸フリッパーユニット３００が対象物Ｍを回転させる時、カメラ装置３０は対象物Ｍの＋Ｚ軸方向を見る対象面から一定の距離Ｌｏを維持することができる。例えば、Ｚ軸昇降ユニット５００は前記距離Ｌｏを一定に維持するために、Ｙ軸フリッパーユニット１００及びＸ軸フリッパーユニット３００を一体にＺ軸方向に移動させる。これに関する具体的なメカニズムは、上述の図１７ａ〜図１７ｃのメカニズムと同一である。
【０１４０】
図２３を参考にして、Ｘ軸ホルダー３３０は対象物Ｍを回転させ（矢印Ｒｘ５参考）、対象面Ａの反対面である対象面Ｃが＋Ｚ軸方向を見るように対象物を配置させる。一対のサイドフレーム３２０ａ、３２０ｂは互いにＹ軸方向に狭められ、一対のＹ軸ホルダー１３０ａ、１３０ｂが対象物Ｍをつかむ（矢印Ｄｙ１参考）。
【０１４１】
図２４を参考にして、一対のサイドフレーム３２０ａ、３２０ｂが互いに広げられ、一対のＸ軸ホルダー３３０ａ、３３０ｂは対象物Ｍから離隔される（矢印Ｄｘ２参考）。ここで、対象面（Ａ）の反対側面である対象面Ｃの検査が進行されることができる。
【０１４２】
図２５を参考にして、Ｘ軸フリッパーユニット３００はＹ軸フリッパーユニット１００に対して−Ｚ軸方向に所定距離移動する（矢印Ｄｅ１参考）。ここで、Ｘ軸フリッパーユニット３００はＹ軸フリッパーユニット１００に対して十分に下降し、移送ストッパー３４０も対象物の進行経路より下側に配置されるようにする。また、移送ユニット２００はＹ軸フリッパーユニット１００に対して＋Ｚ軸方向に所定距離移動する（矢印Ｄｃ２参考）。ここで、移送ユニット２００の移送ベルト２１０は対象物Ｍの下側面を支える。
【０１４３】
図２６を参考にして、一対のボディーフレーム１２０ａ、１２０ｂはＹ軸方向に互いに広げられ、移送ユニット２００のみ対象物Ｍを支えることになる。ここで、一対の移送部２００ａ、２００ｂの移送ベルト２１０の上側面は＋Ｘ軸方向に移動する（矢印Ｍｃ１参考）。これにより、移送ユニット２００により対象物Ｍがフリッパー装置１０から排出される（矢印Ｏｕｔ参考）。
【０１４４】
図２７ａ〜図２９に示されたフローチャートにおいて、プロセス段階、方法段階、アルゴリズムなどが段階的な順序で説明されたが、そのようなプロセス、方法及びアルゴリズムは任意の適した順序で作動するように構成され得る。言い換えれば、本開示の多様な実施例で説明されるプロセス、方法及びアルゴリズムの段階が本開示で記述された順序で行われる必要はない。また、一部の段階が非同時的に行われるものとして説明されても、他の実施例ではこのような一部の段階が同時に行われ得る。また、図面での描写によるプロセスの例示は、例示されたプロセスがそれに関する他の変化及び修正を除くことを意味せず、例示されたプロセスまたはその段階のうち任意のものが本開示の多様な実施例のうちの１つ以上に必須であることを意味せず、例示されたプロセスが望ましいということを意味しない。
【０１４５】
図２７ａはいずれか１つの対象物を検査する一実施例による方法Ｓ１のフローチャートであり、図２７ｂはいずれか１つの対象物を検査する他の実施例による方法Ｓ１'のフローチャートである。ここで、いずれか１つの対象物というのは、第１対象物Ｍ１及び第２対象物Ｍ２のうちいずれか１つを意味するものであって、図２７ａ、及び図２７ｂは第１フリッパー装置１０Ａ及び第２フリッパー装置１０Ｂのうちいずれか１つによって回転する対象物Ｍを基準としてフローチャートを作成したものである。
【０１４６】
図２７ａを参考にして、いずれか１つの対象物Ｍ１またはＭ２を検査する一実施例による方法Ｓ１は図３ａのフリッパー装置１０と図１のカメラ装置３０を用いて進行され得る。前記方法Ｓ１は、初期検査段階Ｓ２０前、フリッパー装置１０の移送ユニット２００が対象物ＭをＸ軸方向に移送させる初期移送段階Ｓ１０を含む（図９及び図１０参考）。初期移送段階Ｓ１０で、対象物Ｍが定位置に置かれるように対象物ＭをＸ軸方向に移送させる。ここで、前記定位置はＹ軸ホルダー１３０がＹ軸方向に対象物Ｍをつかめる位置であり得る。初期移送段階Ｓ１０で、移送ストッパー３４０により対象物Ｍが係止され、前記定位置に対象物Ｍが配置されることができる。初期移送段階Ｓ１０で対象物Ｍは＋Ｘ軸方向に移送されることができる。
【０１４７】
前記方法Ｓ１は、初期移送段階Ｓ１０の後、Ｙ軸ホルダー１３０が対象物ＭをＹ軸方向につかんで、前記カメラ装置が対象物Ｍの対象面Ａを検査する初期検査段階Ｓ２０を含む（図１１及び図１２参考）。初期検査段階Ｓ２０で、補助グリップ部１３７が対象面Ａを係止解除させた状態でＹ軸ホルダー１３０が対象物Ｍをつかむ。ここで、係止解除させた状態というのは、補助グリップ部１３７が対象面Ａの一部を隠していない状態を意味する。これを通じて、前記カメラ装置が対象面Ａの全面積を干渉なく検査することができる。初期検査段階Ｓ２０は第１検査段階Ｓ２０と称すことができる。
【０１４８】
初期検査段階Ｓ２０で、移送ユニット２００はＹ軸フリッパーユニット１００に対して−Ｚ軸方向に移動する。初期検査段階Ｓ２０で、Ｙ軸ホルダー１３０が対象物Ｍをつかんだ後、Ｙ軸ホルダー１３０に対して移送ユニット２００が−Ｚ軸方向に移動することができる。移送ユニット２００はＹ軸フリッパーユニット１００に対して下降して対象物Ｍの回転動作を干渉しない。ここで、移送ユニット２００の下降中に前記カメラ装置が対象面Ａを検査することもできる。
【０１４９】
前記方法Ｓ１は、初期検査段階Ｓ２０の後、対象物Ｍを回転させて対象面Ａに垂直な対象面を検査する回転検査段階Ｓ３０を含む。回転検査段階Ｓ３０で、Ｙ軸ホルダー１３０が対象物ＭをＹ軸を中心に回転させ、前記カメラ装置が対象面Ａに対して垂直な対象面Ｂ１及び前記対象面Ｂ１の反対側面である対象面Ｂ２を検査することができる。回転検査段階Ｓ３０は第２検査段階Ｓ３０と称すことができる。
【０１５０】
回転検査段階Ｓ３０で、補助グリップ部１３７が対象面Ａを係止させた状態でＹ軸ホルダー１３０が対象物をつかむ。これを通じて、Ｙ軸ホルダー１３０により対象物Ｍが安定的にとらえられることができる。
【０１５１】
Ｙ軸フリッパーユニット１００及びＸ軸フリッパーユニット３００が備えられた一実施例によるフリッパー装置１０を用いた前記方法Ｓ１で、回転検査段階Ｓ３０はＹ軸回転検査段階Ｓ３１及びＸ軸回転検査段階Ｓ３６を含む。
【０１５２】
Ｙ軸回転検査段階Ｓ３１で、Ｙ軸ホルダー１３０が対象物ＭをＹ軸を中心に回転させ、前記カメラ装置が対象面Ａに対して垂直な対象面Ｂ１及び対象面Ｂ１の反対側面である対象面Ｂ２を検査する（図１３〜図１６参考）。Ｙ軸回転検査段階Ｓ３１で、補助グリップ部１３７は支持グリップ部１３３に対して前記第１方向に移動して係止状態になることができる。
【０１５３】
Ｙ軸回転検査段階Ｓ３１で、Ｙ軸ホルダー１３０が対象物ＭをＹ軸を中心に回転させ、前記カメラ装置が対象面Ｂ１に対して９０度未満に傾斜した対象面Ｂ１ａ、Ｂ１ｂ及び対象面Ｂ２に対して９０度未満に傾斜した対象面（図示せず）のうち少なくとも１つを検査することができる。Ｙ軸回転検査段階Ｓ３１で、対象面Ｂ１及び対象面Ｂ２が対象面Ａと同じ高さに位置するようにＹ軸ホルダー１３０がＺ軸方向に移動することができる（図１７ａ〜図１７ｃ参考）。ここで、Ｙ軸ホルダー１３０はＺ軸昇降ユニット５００によりＺ軸方向に移動する。
【０１５４】
Ｘ軸回転検査段階Ｓ３６はＹ軸回転検査段階Ｓ３１後に進行されることができる。Ｘ軸回転検査段階Ｓ３６で、Ｘ軸ホルダー３３０が対象物ＭをＸ軸方向につかんで対象物ＭをＸ軸を中心に回転させ、前記カメラ装置が対象面Ａに対して垂直な対象面Ｂ３及び対象面Ｂ３の反対側面である対象面Ｂ４を検査する（図１８〜図２２参考）。
【０１５５】
Ｘ軸回転検査段階Ｓ３６は、Ｘ軸ホルダー３３０が対象物Ｍをつかむ段階と、Ｙ軸ホルダー１３０が対象物Ｍを放す段階と、Ｘ軸ホルダー３３０が対象物Ｍを回転させる段階を含む。Ｙ軸ホルダー１３０が対象物Ｍの対象面Ａが＋Ｚ軸を見るように配置させた状態で、一対のサイドフレーム３２０ａ、３２０ｂがＸ軸方向に互いに狭められ、Ｘ軸ホルダー３３０が対象物Ｍをつかむ段階が進行される。図示されていない他の実施例において、Ｙ軸ホルダー１３０が対象物Ｍの対象面Ｃが＋Ｚ軸を見るように配置させた状態で、一対のサイドフレーム３２０ａ、３２０ｂがＸ軸方向に互いに狭められ、Ｘ軸ホルダー３３０が対象物Ｍをつかむ段階が進行されることもできる。Ｘ軸ホルダー３３０が対象物Ｍをつかむ段階の後、一対のボディーフレーム１２０ａ、１２０ｂがＹ軸方向に互いに広げられ、補助グリップ部１３７は支持グリップ部１３６に対して前記第２方向に移動し、Ｙ軸ホルダー１３０が対象物Ｍを放す段階が進行される。Ｙ軸ホルダー１３０が対象物Ｍを放す段階の後、Ｘ軸ホルダー３３０が対象物Ｍを回転させる段階が進行される。
【０１５６】
Ｘ軸回転検査段階Ｓ３６で、Ｘ軸ホルダー３３０が対象物ＭをＸ軸を中心に回転させ、前記カメラ装置が前記対象面Ｂ３に対して９０度未満に傾斜した対象面Ｂ３ａ、Ｂ３ｂ及び対象面Ｂ４に対して９０度未満に傾斜した対象面（図示せず）のうち少なくとも１つを検査することができる。Ｘ軸回転検査段階Ｓ３６で、対象面Ｂ３及び対象面Ｂ４が対象面Ａと同じ高さに位置するようにＸ軸ホルダー３３０がＺ軸方向に移動することができる。ここで、Ｘ軸ホルダー３３０はＺ軸昇降ユニット５００によりＺ軸方向に移動する。
【０１５７】
前記方法Ｓ１は、回転検査段階Ｓ３０の後、対象面Ｃを検査する背面検査段階Ｓ４０を含み得る（図２３〜図２５参考）。背面検査段階Ｓ４０で、Ｙ軸ホルダー１３０が対象物ＭをＹ軸方向につかんで、前記カメラ装置が対象面Ａの反対側面である対象面Ｃを検査する。背面検査段階Ｓ４０は第３検査段階Ｓ４０と称すことができる。
【０１５８】
背面検査段階Ｓ４０で、補助グリップ部１３７が対象面Ｃを係止解除させた状態でＹ軸ホルダー１３０が対象物Ｍをつかむ。ここで、係止解除させた状態というのは、補助グリップ部１３７が対象面Ｃの一部を覆っていない状態を意味する。これを通じて、前記カメラ装置が対象面Ｃの全面積を干渉なく検査することができる。
【０１５９】
背面検査段階Ｓ４０は、対象物Ｍを回転させ、対象面Ｃが＋Ｚ軸方向に向かうように配置させる段階を含む。Ｘ軸回転検査段階Ｓ３６が備えられる実施例において、背面検査段階Ｓ４０は、Ｘ軸ホルダー３３０が対象物（Ｍ）を回転させ、対象面Ｃが＋Ｚ軸方向に向かうように配置させる段階と、Ｙ軸ホルダー１３０が対象物Ｍをつかむ段階を含む。
【０１６０】
背面検査段階Ｓ４０で、移送ユニット２００はＹ軸フリッパーユニット１００に対して＋Ｚ軸方向に移動する。背面検査段階Ｓ４０で、移送ユニット２００が対象物Ｍを支持するようにＹ軸ホルダー１３０に対して＋Ｚ軸方向に上昇する。ここで、移送ユニット２００の上昇中に対象面Ｃを検査することもできる。
【０１６１】
背面検査段階Ｓ４０で、Ｙ軸ホルダー１３０が対象物Ｍをつかんだ後、Ｙ軸ホルダー１３０に対してＸ軸ホルダー３３０が−Ｚ軸方向に移動することができる。具体的には、Ｙ軸ホルダー１３０が対象物Ｍをつかんだ後、一対のＸ軸ホルダー３３０はＸ軸方向に互いに広げられ、Ｙ軸ホルダー１３０に対して−Ｚ軸方向に移動することができる。Ｘ軸ホルダー３３０がＹ軸フリッパーユニッ（１００に対して十分に下降し、後期移送段階Ｓ５０で対象物Ｍが移送される時、移送ストッパー３４０が対象物Ｍから−Ｚ軸方向に離隔されるようにすることができる。ここで、Ｘ軸ホルダー３３０の下降中に対象面Ｃを検査することもできる。
【０１６２】
前記方法Ｓ１は、背面検査段階Ｓ４０の後、移送ユニット２００が対象物ＭをＸ軸方向に移送させる後期移送段階Ｓ５０を含む（図２６参考）。後期移送段階Ｓ５０で対象物Ｍが＋Ｘ軸方向に移送されることができる。
【０１６３】
図２７ｂを参考にして、いずれか１つの対象物Ｍ１またはＭ２を検査する他の実施例による方法Ｓ１'は、図３ｂのフリッパー装置１０'と図１のカメラ装置３０を用いて進行され得る。以下、上述の図２７ａの実施例との差異を中心に図２７ｂの実施例による方法（１'を説明すると、次の通りである。
【０１６４】
Ｘ軸フリッパーユニット３００が備えられず、Ｙ軸フリッパーユニット１００が備えられた他の実施例によるフリッパー装置１０'を用いた前記方法Ｓ１'で、回転検査段階Ｓ３０はＸ軸回転検査段階Ｓ３６を含まないことができる。Ｙ軸回転検査段階Ｓ３１で対象面Ｂ１及び対象面Ｂ２が検査された後、背面検査段階Ｓ４０が進行され得る。背面検査段階Ｓ４０で、Ｙ軸ホルダー１３０が対象物Ｍの対象面Cが＋Ｚ軸を見るように配置させた状態で、一対の移送部２００ａ、２００ｂが上昇して対象物Ｍを支えた後、一対のＹ軸ホルダー１３０が互いに広げられ、対象物Ｍを置くことができる。一対のＹ軸ホルダー１３０が互いに広げられ、対象物Ｍを置いた後、Ｙ軸を中心に１８０度回転し、互いに狭められ、再び対象物Ｍをつかんだ後、対象面Ｃの検査が進行され得る。
【０１６５】
以下、説明の便宜上、図２７ａの一実施例による方法Ｓ１を基準として対象物検査方法を説明するが、これに制限されるわけではない。図２８は本開示の一実施例による対象物検査方法Ｓ０のフローチャートであり、図２９は本開示の他の実施例による対象物検査方法Ｓ０'のフローチャートである。図２８及び図２９を参考にして、対象物検査方法Ｓ０、Ｓ０'は第１フリッパー装置１０Ａと第２フリッパー装置１０Ｂと１つのカメラ装置３０を用いて進行され得る。
【０１６６】
図２８及び図２９を参考にして、対象物検査方法Ｓ０、Ｓ０'は第１フリッパー装置１０Ａが第１対象物Ｍ１を回転させ、カメラ装置３０が第１対象物Ｍ１の対象面を検査する第１対象物検査段階Ｓ１ａ；及び第１対象物検査段階Ｓ１ａの進行中に、第２フリッパー装置１０Ｂが第２対象物Ｍ２を回転させ、カメラ装置３０が第２対象物Ｍ２の対象面を検査する第２対象物検査段階Ｓ１ｂを含む。
【０１６７】
第１対象物検査段階Ｓ１ａ及び第２対象物検査段階Ｓ１ｂの進行中に、カメラ装置３０が第１フリッパー装置１０Ａ及び第２フリッパー装置１０Ｂのうちいずれか１つに対応する位置からもう１つに対応する位置に少なくとも１回移動する。第１対象物検査段階Ｓ１ａ及び第２対象物検査段階Ｓ１ｂの進行中に、カメラ装置３０は第１対象物Ｍ１の対象面及び第２対象物Ｍ２の対象面を交互に検査することができる。これを通じて、いずれか１つの対象物Ｍ１またはＭ２の該当する対象面を既に設定された位置に配置するためにフリッパー装置１０が準備動作を行う過程中に、カメラ装置がもう１つの対象物Ｍ２またはＭ１を検査することができ、カメラ装置３０のロスタイムを減らすことができる。
【０１６８】
本開示において、カメラ装置３０が１フリッパー装置１０に対応する位置及び第２フリッパー装置１０Ｂに対応する位置のうちいずれか１つからもう１つに移動することを「転換移動」と称すことができる。図２８のＭ１１〜Ｍ２１及び図２９のＭ３１〜Ｍ３７は、カメラ装置３０の前記転換移動を示す矢印であって、第１対象物検査段階Ｓ１ａから第２対象物検査段階に向かう矢印は第１フリッパー装置１０Ａから第２フリッパー装置１０Ｂへの転換移動を示し、第２対象物検査段階Ｓ１ｂから第１対象物検査段階に向かう矢印は第２フリッパー装置１０Ｂから第１フリッパー装置１０Ａへの転換移動を示す。
【０１６９】
図２８及び図２９を参考にして、第１対象物検査段階Ｓ１ａ及び第２対象物検査段階Ｓ１ｂのそれぞれは上述の方法Ｓ１であると理解できるが、他の実施例において、第１対象物検査段階Ｓ１ａ及び第２対象物検査段階Ｓ１ｂのそれぞれは上述の方法Ｓ１'等であり得る。第１対象物検査段階Ｓ１ａ及び第２対象物検査段階Ｓ１ｂのそれぞれは、初期移送段階Ｓ１０ａ、Ｓ１０ｂを含み得る。第１対象物検査段階Ｓ１ａ及び第２対象物検査段階Ｓ１ｂのそれぞれは、対応するＹ軸ホルダーが、対応する対象物をＹ軸方向につかんで、カメラ装置３０が対応する対象物の対象面Ａを検査する初期検査段階Ｓ２０ａ、Ｓ２０ｂを含み得る。第１対象物検査段階Ｓ１ａ及び第２対象物検査段階Ｓ１ｂのそれぞれは、対応するＹ軸ホルダーが、対応する対象物をＹ軸を中心に回転させ、カメラ装置３０が対応する対象面Ａに対して垂直な対象面Ｂ１及び対応する対象面Ｂ１の反対側面である対象面Ｂ）を検査するＹ軸回転検査段階Ｓ３１を含む。第１対象物検査段階Ｓ１ａ及び第２対象物検査段階Ｓ１ｂのそれぞれは、対応するＸ軸ホルダーが、対応する対象物ＭをＸ軸方向につかんで、対応する対象物ＭをＸ軸を中心に回転させ、カメラ装置３０が対応する対象面Ａに対して垂直な対象面Ｂ３及び対応する対象面Ｂ３の反対側面である対象面Ｂ４を検査するＸ軸回転検査段階Ｓ３６を含み得る。第１対象物検査段階Ｓ１ａ及び第２対象物検査段階Ｓ１ｂのそれぞれは、対応するＹ軸ホルダーが、対応する対象物ＭをＹ軸方向につかんで、カメラ装置が、対応する前記対象面Ａの反対側面である対象面Ｃを検査する背面検査段階Ｓ４０を含み得る。背面検査段階Ｓ４０はＸ軸回転検査段階Ｓ３６後に進行されることができるが、実施例によってＹ軸回転検査段階Ｓ３１後に進行されることもできる。第１対象物検査段階Ｓ１ａ及び第２対象物検査段階Ｓ１ｂのそれぞれは、背面検査段階Ｓ４０の後、対応する対象物ＭをＸ軸方向に移送させる後期移送段階Ｓ５０ａ、Ｓ５０ｂを含み得る。ここで、「対応する対象物」というのは、第１対象物検査段階Ｓ１ａ及び第２対象物検査段階Ｓ１ｂのそれぞれが検査する対象物を意味し、「対応する」構成というのは、第１対象物検査段階Ｓ１ａ及び第２対象物検査段階Ｓ１ｂのそれぞれで用いられる構成を意味する。
【０１７０】
図２８及び図２９を参考にして、第１対象物Ｍ１の初期検査段階Ｓ２０ａ及び第１対象物Ｍ１のＹ軸回転検査段階Ｓ３１の進行中に、第２対象物Ｍ２の初期検査段階Ｓ２０ｂが進行され得る。カメラ装置３０が第１フリッパー装置１０Ａに対応する位置にある状態で初期検査段階Ｓ２０ａが進行された後、カメラ装置３０が第２フリッパー装置１０Ｂに転換移動Ｍ１１、Ｍ３１を行って、初期検査段階Ｓ２０ｂが進行され得る。カメラ装置３０が第２フリッパー装置１０Ｂに対応する位置にある状態で初期検査段階Ｓ２０ｂが進行された後、カメラ装置３０が第１フリッパー装置１０Ａに転換移動Ｍ１２、Ｍ３２を行って、Ｙ軸回転検査段階Ｓ３１の検査過程Ｓ３１１Ｑａ、Ｓ３１Ｑａが進行され得る。
【０１７１】
第１対象物Ｍ１のＹ軸回転検査段階Ｓ３１の進行中に、カメラ装置３０が第１フリッパー装置１０Ａに対応する位置及び第２フリッパー装置１０Ｂに対応する位置の間を少なくとも１回移動することができる。図２８の例示において、第１対象物Ｍ１のＹ軸回転検査段階Ｓ３１の進行中に、カメラ装置３０は３回の転換移動Ｍ１２、Ｍ１３、Ｍ１４を行い、図２９の例示において、第１対象物Ｍ１のＹ軸回転検査段階Ｓ３１の進行中に、カメラ装置３０は１回の転換移動Ｍ３２を行う。
【０１７２】
第２対象物Ｍ２のＹ軸回転検査段階Ｓ３１及び第２対象物Ｍ２のＸ軸回転検査段階Ｓ３６の進行中に、カメラ装置３０が第１フリッパー装置１０Ａに対応する位置及び第２フリッパー装置１０Ｂに対応する位置の間を少なくとも１回移動することができる。図２８の例示において、第２対象物Ｍ２のＹ軸回転検査段階Ｓ３１及び第２対象物Ｍ２のＸ軸回転検査段階Ｓ３６の進行中に、カメラ装置３０は７回の転換移動Ｍ１３、Ｍ１４、Ｍ１５、Ｍ１６、Ｍ１７、Ｍ１８、Ｍ１９を行い、図２９の例示において、第２対象物Ｍ２のＹ軸回転検査段階Ｓ３１及び第２対象物Ｍ２のＸ軸回転検査段階Ｓ３６の進行中に、カメラ装置３０は３回の転換移動Ｍ３３、Ｍ３４、Ｍ３５を行う。
【０１７３】
第１対象物Ｍ１のＸ軸回転検査段階Ｓ３６の進行中に、カメラ装置３０が第１フリッパー装置１０Ａに対応する位置及び第２フリッパー装置１０Ｂに対応する位置の間を少なくとも１回移動することができる。図２８の例示において、第１対象物Ｍ１のＸ軸回転検査段階Ｓ３６の進行中に、カメラ装置３０は３回の転換移動Ｍ１６、Ｍ１７、Ｍ１８を行い、図２９の例示において、第１対象物Ｍ１のＸ軸回転検査段階Ｓ３６の進行中に、カメラ装置３０は１回の転換移動Ｍ３４を行う。
【０１７４】
第２対象物Ｍ２のＸ軸回転検査段階Ｓ３６及び第２対象物Ｍ２の背面検査段階Ｓ４０の進行中に、第１対象物Ｍ１の背面検査段階Ｓ４０が進行され得る。カメラ装置３０が第２フリッパー装置１０Ｂに対応する位置にある状態で第２対象物Ｍ２のＸ軸回転検査段階Ｓ３６の検査過程Ｓ３６２Ｑｂ、Ｓ３６Ｑｂが進行された後、カメラ装置３０が第１フリッパー装置１０Ａに転換移動Ｍ２０、Ｍ３６を行って、第１対象物Ｍ１の背面検査段階Ｓ４０の検査過程Ｓ４０Ｑａが進行され得る。カメラ装置３０が第２フリッパー装置１０Ｂに対応する位置にある状態で検査過程Ｓ４０Ｑａが進行された後、カメラ装置３０が第２フリッパー装置１０Ｂに転換移動Ｍ２１、Ｍ３７を行って、第２対象物Ｍ２の背面検査段階Ｓ４０の検査過程Ｓ４０Ｑｂが進行され得る。
【０１７５】
第１対象物Ｍ１の背面検査段階Ｓ４０及び第１対象物Ｍ１の後期移送段階Ｓ５０ａの進行中に、カメラ装置３０が第１フリッパー装置１０Ａに対応する位置及び第２フリッパー装置１０Ｂに対応する位置の間を少なくとも１回移動することができる。図２８の例示において、第１対象物Ｍ１の背面検査段階Ｓ４０及び第１対象物Ｍ１の後期移送段階Ｓ５０ａの進行中に、カメラ装置３０は少なくとも２回の転換移動Ｍ２０、Ｍ２１を行い、図２９の例示において、第１対象物Ｍ１の背面検査段階Ｓ４０及び第１対象物Ｍ１の後期移送段階Ｓ５０ａの進行中に、カメラ装置３０は少なくとも２回の転換移動Ｍ３６、Ｍ３７を行う。
【０１７６】
図２８を参考にして、Ｙ軸回転検査段階Ｓ３１は、対象面Ｂ１を既に設定された位置に配置させて検査する第１Ｙ軸回転検査段階Ｓ３１１と、対象面Ｂ２を既に設定された位置に配置させて検査する第２Ｙ軸回転検査段階Ｓ３１２を含み得る。Ｘ軸回転検査段階Ｓ３６は、対象面Ｂ３を既に設定された位置に配置させて検査する第１Ｘ軸回転検査段階Ｓ３６１と、対象面Ｂ４を既に設定された位置に配置させて検査する第２Ｘ軸回転検査段階Ｓ３６２を含み得る。
【０１７７】
図２８及び図２９を参考にして、いずれか１つの対象物Ｍ１またはＭ２のＹ軸回転検査段階Ｓ３１は、カメラ装置３０がもう１つの対象物Ｍ２またはＭ１に対応する位置にとどまり、前記いずれか１つの対象物Ｍ１またはＭ２に対応する位置に転換移動を行う準備過程（図２８のＳ３１１Ｐａ、Ｓ３１２Ｐａ、Ｓ３１１Ｐｂ、Ｓ３１２Ｐｂ及び図２９のＳ３１Ｐａ、Ｓ３１Ｐｂ）を含む。いずれか１つの対象物Ｍ１またはＭ２のＹ軸回転検査段階Ｓ３１は、カメラ装置３０が前記いずれか１つの対象物Ｍ１またはＭ２に対応する位置にとどまる検査過程（図２８のＳ３１１Ｑａ、Ｓ３１２Ｑａ、Ｓ３１１Ｑｂ、Ｓ３１２Ｑｂ及び図２９のＳ３１Ｑａ、Ｓ３１Ｑｂ）を含む。
【０１７８】
いずれか１つの対象物Ｍ１またはＭ２のＸ軸回転検査段階Ｓ３６は、カメラ装置３０がもう１つの対象物Ｍ２またはＭ１に対応する位置にとどまり、前記いずれか１つの対象物Ｍ１またはＭ２に対応する位置に転換移動を行う準備過程（図２８のＳ３６１Ｐａ、Ｓ３６２Ｐａ、Ｓ３６１Ｐｂ、Ｓ３６２Ｐｂ及び図２９のＳ３６Ｐａ、Ｓ３６Ｐｂ）を含む。いずれか１つの対象物Ｍ１またはＭ２のＸ軸回転検査段階Ｓ３６は、カメラ装置３０が前記いずれか１つの対象物Ｍ１またはＭ２に対応する位置にとどまる検査過程（図２８のＳ３６１Ｑａ、Ｓ３６２Ｑａ、Ｓ３６１Ｑｂ、Ｓ３６２Ｑｂ及び図２９のＳ３６Ｑａ、Ｓ３６Ｑｂ）を含む。
【０１７９】
いずれか１つの対象物Ｍ１またはＭ２の背面検査段階Ｓ４０は、カメラ装置３０がもう１つの対象物Ｍ２またはＭ）に対応する位置にとどまり、前記いずれか１つの対象物Ｍ１またはＭ２に対応する位置に転換移動を行う準備過程Ｓ４０Ｐａ、Ｓ４０Ｐｂを含む。いずれか１つの対象物Ｍ１またはＭ２の背面検査段階Ｓ４０は、カメラ装置３０が前記いずれか１つの対象物Ｍ１またはＭ２に対応する位置にとどまる検査過程Ｓ４０Ｑａ、Ｓ４０Ｑｂを含む。
【０１８０】
前記準備過程（図２８及び図２９においてＰが表示された過程）で、カメラ装置３０の転換移動が行われる。また、いずれか１つの対象物Ｍ１またはＭ２の前記準備過程中に、もう１つの対象物Ｍ２またはＭ１の対象面の検査が進行される。また、いずれか１つの対象物Ｍ１またはＭ２の前記準備過程中に、前記いずれか１つの対象物Ｍ１またはＭ２の対象面を既に設定された位置に配置させるように前記いずれか１つの対象物Ｍ１またはＭ２のフリッパー装置１０が作動する。
【０１８１】
いずれか１つの対象物Ｍ１またはＭ２の前記検査過程（図２８及び図２９）中に、前記いずれか１つの対象物Ｍ１またはＭ２の対象面の検査が進行される。また、いずれか１つの対象物Ｍ１またはＭ２の前記検査過程中にも前記いずれか１つの対象物Ｍ１またはＭ２の他の対象面を既に設定された位置に配置させるように前記いずれか１つの対象物Ｍ１またはＭ２のフリッパー装置１０が作動することができる。
【０１８２】
下記表１は、図２８の対象物検査方法Ｓ０による一実験例である。表１は、第１対象物Ｍ１に対する動作Ｎａ及びそれによる所要時間Ｔａを測定し、第２対象物Ｍ２に対する動作Ｎｂ及びそれによる所要時間Ｔｂを秒（ｓｅｃ）単位で測定したものであって、第１対象物Ｍ１及び第２対象物Ｍ２に対する動作Ｎａ、Ｎｂが同時に行われる時、実（net）所要時間（Ｔｏ）を秒（ｓｅｃ）単位で測定したものである。
【０１８３】
【表１】
2021528658.tif 000003
【０１８４】
ここで、Ｎ１は対象物Ｍが移送され、対象面Ａが既に設定された位置に配置される動作を意味し、Ｎ２は対象面Ａが検査を受ける動作を意味する。Ｎ３は対象面Ｂ２が既に設定された位置に配置される動作を意味し、Ｎ４は対象面Ｂ２が検査を受ける動作を意味する。Ｎ５は対象面Ｂ３が既に設定された位置に配置される動作を意味し、Ｎ６は対象面Ｂ３が検査を受ける動作を意味する。Ｎ７は対象面Ｂ４が既に設定された位置に配置される動作を意味し、Ｎ８は対象面Ｂ４が検査を受ける動作を意味する。Ｎ９は対象面Ｃが既に設定された位置に配置される動作を意味し、Ｎ１０は対象面Ｃが検査を受ける動作を意味する。Ｎ１１は対象物Ｍが移送され、フリッパー装置１０から流出する動作を意味する。それぞれの所要時間Ｔａ、Ｔｂはカメラ装置３０が転換移動を行う時間まで反映されたものである。
【０１８５】
前記表１を参考にして、第１対象物Ｍ１に対する動作の１サイクルに関する所要時間Ｔａの総合は２５.４８秒であり、第２対象物Ｍ２に対する動作の１サイクルに関する所要時間Ｔｂの総合も２５.４８秒である。従って、もし第１対象物Ｍ１の１サイクルを行った後、第２対象物Ｍ２の１サイクルを行えば、合計６６.２３秒が要されるはずである。しかし、カメラ装置３０の転換動作を通じてロスタイムを減らすことによって、第１対象物Ｍ１及び第２対象物Ｍ２に対する動作の１サイクルに関する実所要時間Ｔｏの総合は３４.７５秒であって、６６.２３秒に比べて顕著に小さいということが分かる。３４.７５秒の間２つの対象物Ｍに対する検査サイクルが行われるので、１つの対象物Ｍの検査サイクルは約１７.３８秒であって、２５.４８秒に比べて顕著に小さいということが分かる。これを通じて、本開示の実施例によれば、高価な装備であるカメラ装置３０を１台しか用いなくても検査効率を顕著に向上させることができるということが分かる。
【０１８６】
前記検査方法は、特定の実施例を通じて説明されたが、前記方法はまた、コンピュータで読み取ることができる記録媒体に、コンピュータが読み取ることができるコードとして実現することが可能である。コンピュータが読み取ることができる記録媒体は、コンピュータシステムによって読み取られることができるデータが格納される全ての種類の記録装置を含む。コンピュータが読み取ることができる記録媒体の例としては、ＲＯＭ、ＲＡＭ、ＣＤ−ＲＯＭ、磁気テープ、フロッピー（登録商標）ディスク、光データ格納装置などを含み得る。また、コンピュータが読み取ることができる記録媒体は、ネットワークで連結されたコンピュータシステムに分散し、分散方式でコンピュータが読み取ることができるコードが格納されて実行され得る。また、前記実施例を実現するための機能的な（ｆｕｎｃｔｉｏｎａｌ）プログラム、コード及びコードセグメントは、本開示の属する技術分野のプログラマーによって容易に推論され得る。
【０１８７】
以上、一部の実施例と添付の図面に示された例によって本開示の技術的思想が説明されたが、本開示の属する技術分野で通常の知識を有する者が理解できる本開示の技術的思想及び範囲を逸脱しない範囲で多様な置換、変形及び変更がなされ得るという点を理解すべきである。また、そのような置換、変形及び変更は、添付の請求の範囲内に属すると考えられるべきである。
【図１】
2021528658.tif 000004
【図２】
2021528658.tif 000005
【図３ａ】
2021528658.tif 000006
【図３ｂ】
2021528658.tif 000007
【図４】
2021528658.tif 000008
【図５】
2021528658.tif 000009
【図６】
2021528658.tif 000010
【図７】
2021528658.tif 000011
【図８】
2021528658.tif 000012
【図９】
2021528658.tif 000013
【図１０】
2021528658.tif 000014
【図１１】
2021528658.tif 000015
【図１２】
2021528658.tif 000016
【図１３】
2021528658.tif 000017
【図１４】
2021528658.tif 000018
【図１５ａ】
2021528658.tif 000019
【図１５ｂ】
2021528658.tif 000020
【図１６】
2021528658.tif 000021
【図１７ａ】
2021528658.tif 000022
【図１７ｂ】
2021528658.tif 000023
【図１７ｃ】
2021528658.tif 000024
【図１８】
2021528658.tif 000025
【図１９】
2021528658.tif 000026
【図２０】
2021528658.tif 000027
【図２１ａ】
2021528658.tif 000028
【図２１ｂ】
2021528658.tif 000029
【図２２】
2021528658.tif 000030
【図２３】
2021528658.tif 000031
【図２４】
2021528658.tif 000032
【図２５】
2021528658.tif 000033
【図２６】
2021528658.tif 000034
【図２７ａ】
2021528658.tif 000035
【図２７ｂ】
2021528658.tif 000036
【図２８】
2021528658.tif 000037
【図２９】
2021528658.tif 000038
【国際調査報告】
2021528658.tif 000039
2021528658.tif 000040
2021528658.tif 000041
2021528658.tif 000042